(57)【要約】【課題】仕様の異なるレンズ鏡筒において、構成部材を共通化し、部品管理の簡易化、コストダウンを可能とするレンズ鏡筒システムを提供する。【解決手段】本レンズ鏡筒システムは、異なる仕様、例えば、焦点調節可能なレンズ鏡筒と固定焦点のレンズ鏡筒であって、それぞれの鏡筒外装を構成する外装ユニットおよび各レンズ群を内蔵する光学ユニットを有する第一のレンズ鏡筒１０、および、第二のレンズ鏡筒からなり、第一のレンズ鏡筒と第二のレンズ鏡筒との外装ユニットにおいては、外装部材としての合焦位置設定用距離環１４と、表示窓を有する中枠１６と、中枠に支持される距離目盛表示用の目盛環２１と、後方から中枠１６、もしくは、ズーム環２６等を押さえる後カバー３１等の部材が共用部材として使用可能である。【選択図】図１
2005107418.tif 000002
【特許請求の範囲】
【請求項１】
第一のレンズ鏡筒の光学ユニットを内包する第一の固定枠と、
第二のレンズ鏡筒の光学ユニットを内包する上記固定枠と同径の第二の固定枠と、
上記第一のレンズ鏡筒と上記第二のレンズ鏡筒とに共通に使用可能な部品であって、上記第一の固定枠の外径と上記第二の固定枠の外径とに回転可能に嵌合可能な、上記第一のレンズ鏡筒の焦点調節と上記第二のレンズ鏡筒の焦点調節のための距離環と、
を有することを特徴とするレンズ鏡筒システム。
【請求項２】
第一のレンズ鏡筒の光学ユニットを内包する第一の固定枠と、
第二のレンズ鏡筒の光学ユニットを内包する上記固定枠と同径の第二の固定枠と、
上記第一のレンズ鏡筒と上記第二のレンズ鏡筒とに共通に使用可能な部品であって、上記第一の固定枠の外径と上記第二の固定枠の外径の周りに回転可能な、上記第一のレンズ鏡筒と上記第二のレンズ鏡筒のそれぞれの合焦レンズ系の位置に対応する被写界側の被写体焦点位置を表示する距離目盛表示環と、
を有することを特徴とするレンズ鏡筒システム。
【請求項３】
さらに、上記距離目盛表示環の距離目盛を表示するための窓を有し、上記第一のレンズ鏡筒と第二のレンズ鏡筒とに共通に使用可能な部品であって、上記第一の固定枠の外径と上記第二の固定枠の外径の周りに配置され、上記距離目盛表示環を回転可能に支持する表示環保持環と、
を有することを特徴とする請求項２に記載のレンズ鏡筒システム。
【請求項４】
第一のレンズ鏡筒の光学ユニットを内包する第一の固定枠と、
第二のレンズ鏡筒の光学ユニットを内包する上記固定枠と同径の第二の固定枠と、
上記第一のレンズ鏡筒と第二のレンズ鏡筒とに共通に使用可能な部品であって、上記第一の固定枠の外径と上記第二の固定枠の外径とに回転可能に光軸方向から嵌合可能な、上記第一のレンズ鏡筒の焦点調節と上記第二のレンズ鏡筒の焦点調節のための距離環と、
第一のレンズ鏡筒と第二のレンズ鏡筒とに共通に使用可能な部品であって、上記第一のレンズ鏡筒の焦点調節と上記第二のレンズ鏡筒の焦点調節のための上記距離環が光軸方向に移動しないように上記第一のレンズ鏡筒と上記第二のレンズ鏡筒のそれぞれの後端部に設けられることが可能な後端部外装部材と、
を有することを特徴とするレンズ鏡筒システム。
【発明の詳細な説明】
【技術分野】
【０００１】
本発明は、レンズ鏡筒システム、特にレンズ鏡筒間の構成部材の共通化に関する。
【背景技術】
【０００２】
従来、レンズ鏡筒間における構成部材の共通化に関して、特許文献１に提案されたものは、一種類のヘリコイド環が異なる複数のレンズ鏡筒に適用できる新規な該ヘリコイド環を適用するレンズ鏡筒に関するものである。
【特許文献１】特許文献１は、特公平８−３５７１号公報である。
【発明の開示】
【発明が解決しようとする課題】
【０００３】
しかしながら、特許文献１に示されるレンズ鏡筒は、ヘリコイド環の共通化に止まるものであり、他の複数の部材に関する共通化には、言及されていない。より多くの構成部材を複数のレンズ鏡筒で共用化ができれば、部品の種類を減らすことができ、レンズ鏡筒のコストダウン、あるいは、部品管理の簡素化に多大な効果が期待できる。
【０００４】
本発明は、上述のような状況に鑑みてなされたものであり、複数の種類のレンズ鏡筒間で部品を共通化を可能として、コストダウンと生産性の向上が実現できるレンズ鏡筒システムを提供することを目的とする。
【課題を解決するための手段】
【０００５】
本発明の請求項１記載のレンズ鏡筒システムは、第一のレンズ鏡筒の光学ユニットを内包する第一の固定枠と、第二のレンズ鏡筒の光学ユニットを内包する上記第一の固定枠と同径の第二の固定枠と、上記第一のレンズ鏡筒と上記第二のレンズ鏡筒とに共通に使用可能な部品であって、上記第一の固定枠の外径と上記第二の固定枠の外径とに回転可能に嵌合可能な、上記第一のレンズ鏡筒の焦点調節と上記第二のレンズ鏡筒の焦点調節のための距離環  本発明の請求項２記載のレンズ鏡筒システムは、第一のレンズ鏡筒の光学ユニットを内包する第一の固定枠と、第二のレンズ鏡筒の光学ユニットを内包する上記第一の固定枠と同径の第二の固定枠と、上記第一のレンズ鏡筒と上記第二のレンズ鏡筒とに共通に使用可能な部品であって、上記第一の固定枠の外径と上記第二の固定枠の外径の周りに回転可能な、上記第一のレンズ鏡筒と上記第二のレンズ鏡筒のそれぞれの合焦レンズ系の位置に対応する被写界側の被写体焦点位置を表示する距離目盛表示環とを有する。
【０００６】
本発明の請求項３記載のレンズ鏡筒システムは、請求項２記載のレンズ鏡筒システムにおいて、さらに、上記距離目盛表示環の距離目盛を表示するための窓を有し、上記第一のレンズ鏡筒と第二のレンズ鏡筒とに共通に使用可能な部品であって、上記第一の固定枠の外径と上記第二の固定枠の外径の周りに配置され、上記距離目盛表示環を回転可能に支持する表示環保持環とを有する。
【０００７】
本発明の請求項４記載のレンズ鏡筒システムは、第一のレンズ鏡筒の光学ユニットを内包する第一の固定枠と、第二のレンズ鏡筒の光学ユニットを内包する上記第一の固定枠と同径の第二の固定枠と、上記第一のレンズ鏡筒と第二のレンズ鏡筒とに共通に使用可能な部品であって、上記第一の固定枠の外径と上記第二の固定枠の外径とに回転可能に光軸方向から嵌合可能な、上記第一のレンズ鏡筒の焦点調節と上記第二のレンズ鏡筒の焦点調節のための距離環と、第一のレンズ鏡筒と第二のレンズ鏡筒とに共通に使用可能な部品であって、上記第一のレンズ鏡筒の焦点調節と上記第二のレンズ鏡筒の焦点調節のための上記距離環が光軸方向に移動しないように上記第一のレンズ鏡筒と上記第二のレンズ鏡筒のそれぞれの後端部に設けられることが可能な後端部外装部材とを有する。
【発明の効果】
【０００８】
本発明のレンズ鏡筒システムによれば、仕様の異なる複数の種類のレンズ鏡筒間で部品の共通化が可能となり、製作部品の種類が減ることにより部品単価の削減と、同時に該部品成形用の金型費も削減され、また、部品管理も簡素化されることからコストダウンと生産性の向上が期待できる。
【発明を実施するための最良の形態】
【０００９】
以下、本発明の実施形態について図を用いて説明する。  
本発明の一実施形態であるレンズ鏡筒システムは、種類（仕様）の異なる第一のレンズ鏡筒と第二のレンズ鏡筒とからなるシステムである。上記第一のレンズ鏡筒と第二のレンズ鏡筒とは、それぞれの固定枠である本枠内に光学ユニットを内包しており、本枠の外周部分に配置される鏡筒外観部材、例えば、撮影レンズ（合焦レンズ系）の焦点調節を行うために回動操作される距離環と、合焦レンズ系の位置に対応する被写界側の被写体焦点位置を表示する距離目盛表示環である目盛環と、上記距離目盛表示環を回転可能に支持し、表示用窓部を有する表示環保持環である中枠と、レンズ鏡筒のそれぞれの後端部に設けられ、上記距離環，中枠，目盛環等の光軸方向の移動を規制する後端部外装部材である後カバー等を共通で使用可能とする。以下、上記第一，第二のレンズ鏡筒の構成，作用等について説明する。
【００１０】
まず、本発明の一実施形態であるレンズ鏡筒システムを構成する第一のレンズ鏡筒について、図１〜１４を用いて説明する。  
図１は、上記第一のレンズ鏡筒の側面図である。図２は、上記レンズ鏡筒のワイド状態における光軸上の断面図である。図３は、上記レンズ鏡筒のテレ状態における光軸上の断面図（上半部分を示す）である。図４は、上記レンズ鏡筒を構成する外装ユニットの一部の分解斜視図であり、図５は、上記レンズ鏡筒を構成する外装ユニットの他の一部の分解斜視図である。図６は、上記レンズ鏡筒を構成する光学ユニットの一部の分解斜視図であり、図７は、上記レンズ鏡筒を構成する光学ユニットの他の一部の分解斜視図である。図８は、上記レンズ鏡筒を構成する制御ユニットを結像側（後方側）からみた斜視図である。図９は、上記制御ユニットを構成するレンズ鏡筒制御ＦＰＣの展開図である。図１０は、上記制御ユニットを構成するＦＰＣ支持板の斜視図である。図１１は、上記レンズ鏡筒を構成する光学ユニットの組み立て状態の斜視図である。図１２は、上記外装ユニットの本枠と上記光学ユニットの固定環との後端部を結像側（後方側）からみた分解斜視図である。図１３は、上記光学ユニットと上記外装ユニットとの組み立て体を結像側（後方側）からみた斜視図である。図１４は、上記光学ユニットと上記外装ユニットとの組み立て体にさらに制御ユニットを装着した状態を結像側（後方側）から見た斜視図である。
【００１１】
なお、以下の説明において、レンズ鏡筒の光学系（撮影レンズ）の光軸をＯとし、光軸Ｏに沿う方向をＺ方向する。Ｚ方向のレンズ鏡筒被写体側を前方（＋Ｚ方向）とし、結像側を後方（−Ｚ方向）とする。また、各構成部材の回転方向は、被写体側から見た回転方向で示し、時計回りを＋方向、反時計回りを−方向とする。また、図３〜１１、および、図１９〜２４において、符号ａm 〜ａn 、ｂm 〜ｂn 、ｃm 〜ｃn 、および、ｄm 〜ｄn 等、の同一符号で示した方向は、組み立て時、該当する部材が挿通、嵌合、もしくは、螺合する方向を示している。
【００１２】
図１，２に示すように第一のレンズ鏡筒１０は、一眼レフカメラボディに着脱可能で、かつ、焦点調節可能なズーム式レンズ鏡筒であり、主に本レンズ鏡筒の外装を形成する外装ユニット１と、外装ユニット１内部に収納され、本レンズ鏡筒の光学系を内蔵する光学ユニット２と、第一のレンズ鏡筒１０の駆動制御を行うための制御ユニット３とからなる。この第一のレンズ鏡筒１０の光学系は、被写体側（前方側）からズーミング時に進退される第一群レンズ４１と、ズーミング時およびフォーカシング時に進退される合焦光学系の第二群レンズ５１および第三群レンズ６１と、ズーミング時に進退される第四群レンズ８１および絞り羽根７２とからなる。
【００１３】
外装ユニット１は、図４，５に示すように前面部に前カバー１２が装着され、光学ユニット２を内包する第一の固定枠としての本枠１１と、外周にゴムリング１５が装着され、焦点調節時に回動される部材であって、本枠１１に回転可能に嵌合する距離環１４と、本枠１１の外周に固定支持され、目盛環２１を回転可能に保持する表示環保持環である中枠１６と、本枠１１の外周と中枠１６の内周との間に回転自在に保持され、合焦レンズ系の合焦位置に対応する被写界側の被写体焦点位置を表示するための距離目盛表示環である目盛環２１と、本枠１１の外周に固定支持されるズーム台２４と、外周にゴムリング２９が嵌合装着され、ズーミング時に回転操作されるズーム環２６と、本枠１１一端の背面側外周に固定支持され、距離環１４，中枠１６，ズーム環２６等の光軸Ｏ方向の移動を防止するために後端部に配置される後端部外装部材としての後カバー（後端カバー）３１と、本枠１１の背面部に固着されるレンズマウント３６と、レンズマウント３６の内周に挿入固着されるカバー後枠３７とを有してなる。
【００１４】
なお、上記各構成部材のうち、距離環１４及びゴムリング１５と、中枠１６と、ズーム環２６およびゴムリング２９と、後カバー３１とは、それぞれが後述する第二のレンズ鏡筒１０Ａと共用する外観の一部を成す部材である。
【００１５】
光学ユニット２は、図６，７に示すように第一群レンズ４１を持つ第一群枠ユニット４０と、２本のガイドロッド４７，４８と、第二群レンズ５１を持つ第二群枠ユニット５０と、第二群枠ユニット５０を進退駆動する第二群回転ズーム枠５８と、第三群レンズ６１を持つ第三群枠ユニット６０と、第三群枠ユニット６０を進退駆動する第三群回転ズーム枠６８と、絞り羽根７２を持つ絞枠ユニット７０と、第四群レンズ８１を持つ第四群枠ユニット８０と、本枠１１に固定支持される光学ユニット側固定枠としての固定環８３と、固定環８３に回転可能に支持されるカム環８４と、押さえリング８６と、固定環８３の後方部に回転可能に支持されるレンズ駆動枠８７とを有してなる。
【００１６】
制御ユニット３は、図８に示すようにフォーカスモータ，モータＰＩ（フォトインタラプタ），減速ギヤ列等を有する合焦レンズ駆動ユニット１０１と、各制御用ＦＰＣ（フレキシブル基板）コネクタ，制御用ＩＣ，マウント接点等が実装されたフレキシブル基板よりなるレンズ鏡筒制御ＦＰＣ（レンズ鏡筒制御基板）１０２とからなる。
【００１７】
なお、第一のレンズ鏡筒１０において、固定環８３と、カム環８４と、第二，三群枠ユニット５０，６０と、第二，三群回転ズーム枠５８，６８と、レンズ駆動枠８７等により主たるズームレンズ駆動装置が構成され、ズーム環２６の回転駆動に伴って、第一群レンズ４１、第二群レンズ５１、第三群レンズ６１、第四群レンズ８１、および、絞枠ユニット８０の光軸Ｏ方向への進退駆動が行われる。また、レンズ駆動枠８７の回転駆動に伴って、第二レンズ５１、第三群レンズ６１のみが光軸Ｏ方向に進退する。
【００１８】
次に上述した第一のレンズ鏡筒１０の各構成部材のさらなる詳細およびその組み立て手順等について説明する。  
第一のレンズ鏡筒１０においては、先に光学ユニット２がユニットとして組み立てられ、後述するように光学ユニット２を外装ユニット１の本枠１１に組み込み後、外装ユニットの各構成部材が本枠１１の外周部に順次、嵌入されて組み立てられる。その後、本枠１１の後方より制御ユニット３が組み込まれ、レンズマウントを装着してレンズ鏡筒１０の組み立てが完了する。ただし、それらの組み立て順は、必ずしも後述する順には限定されない。
【００１９】
まず、光学ユニット２の各構成部材について説明する。  
第一群枠ユニット４０は、図６に示すように第一群枠部材４３と、第一群レンズ４１を保持する第一群レンズ保持枠４２と、フード環４４と、飾り板４５とを有してなる。
【００２０】
第一群枠部材４３は、円筒形状の枠部材であって、外装ユニット１の本枠１１の内周に進退可能に挿入される。この第一群枠内周部４３ａには、３つの光軸Ｏに沿った３本の有底の直進溝４３ｄが設けられ、３つのカムフォロア突起４３ｅが設けられる。カムフォロア突起４３ｅの周方向断面形状は、略四角形であり、嵌入する後述のカム環８４のカム溝８４ｅに当接摺動する角部は、比較的大きな曲率半径で形成され、カム溝８４ｅ方向の角部は、エッヂに近い形状とする。このような形状にすることによって摺動しやすく、かつ、カムフォロア剪断強度を向上させている。
【００２１】
第一群レンズ保持枠４２は、開口部を有するリング形状部材であって、該開口部に第一群レンズ４１が固着されている。
【００２２】
フード環４４は、開口部４４ａを有するリング形状部材であり、その前方に開口部４５ａを有する飾り板４５が貼付される。
【００２３】
第一群枠部材４３の前面側の内周部４３ｆには、段部４２ｇにＯリング５Ｆを挿入した状態の第一群レンズ保持枠４２の段部４２ｆが嵌合して装着される。さらに、第一群レンズ保持枠４２の前面側にフード環４４を嵌め込み、ビス７Ｊをビス挿通穴４４ｃおよび４２ｃを挿通させて第一群枠部材４３のビス穴４３ｃに螺着する。このビスの螺着によって第一群枠部材４３と第一群レンズ保持枠４２およびフード環４４とが第一群枠ユニット４０として一体化される。
【００２４】
固定環カバー４６は、リング形状の部材であって、図６に示すように中央開口部４６ａを有しており、後述する固定環８３の前面に取り付けられる。この固定環カバー４６には、外周３方向に突出する第一群枠の直進ガイド用凸部４６ｄと、該凸部４６ｄの内方側に配されるビス挿通穴４６ｂと、外周の凸部４６ｄの周方向中間に配される第一群枠カムフォロア逃げ用凹部４６ｃと、外周近傍で後面側後方に突出する位置決め用凸部４６ｈと、後面上の光軸Ｏに対して略対称位置の２ヶ所に配される有底のガイドロッド用嵌合穴部４６ｆ，４６ｇとが設けられる。
【００２５】
固定環８３は、円筒形状の部材であって、図２，１２に示すように外装ユニット１の本枠１１の内部に後端部にて固定支持される。固定環８３の内部には第二群，第三群，第四群枠ユニット，絞枠ユニット，第二群，第三群回転ズーム枠が回転、または、進退自在に組み込まれ、さらに、外周部にカム環とレンズ駆動枠が回転自在に嵌入される。
【００２６】
固定環８３の前端フランジ部には、図７，１２に示すように３つのビス穴８３ｂと、フランジ部外周に３つの第一群枠カムフォロア逃げ用凹部８３ｃ、および、１つの位置決め凹部８３ｈとが設けられる。固定環８３の後端面には、ガイドロッド用嵌合穴８３ｆ，８３ｇと、ビス穴８３ｎ，８３ｑ，８３ｒ，８３ｓと、切り欠き部８３ｕ等が設けられる。また、固定環８３の前方円筒部８３ｉに光軸Ｏ方向に対して斜行する３本づつの２組のカム溝８３ｄ，８３ｅと、後方円筒部８３ｊに光軸Ｏ方向に対して平行な２本の直進溝８３ｋ，８３ｍとが設けられる。さらに、固定環８３の後方円筒部８３ｊの後端部近傍部分に円周に沿った段部８３ｔが設けられる。
【００２７】
ガイドロッド４７，４８は、真直のロッド部材であって、図６，７に示すように後端部（一端部）が固定環８３の嵌合穴８３ｆ，８３ｇに、先端部（他端部）が固定環カバー４６の嵌合穴部４６ｆ，４６ｇとに嵌入して光軸Ｏに対して平行な状態で支持される。このガイドロッド４７，４８は、第二群枠ユニット５０の第二群レンズ保持枠５２と、第三群枠ユニット６０の第三群レンズ保持枠６２と、絞枠ユニット７０の絞枠部材７１と、第四群枠ユニット８０の第四群枠部材７７との各ガイド穴、または、切り欠き部に嵌入し、各枠部材を回転規制した状態で光軸Ｏ方向に沿って摺動自在にガイドする。
【００２８】
カム環８４は、円筒形状の部材であって、図２，６，７に示すように固定環８３の前方円筒部８３ｉに回転自在に嵌入し、外周に第一群枠部材４３が進退，回転自在に嵌入する。このカム環８４には、円筒部前方側に光軸Ｏ方向に平行な３本の直進溝８４ｄと、円筒部外周前方側に前方挿入口を有する有底の３本のカム溝８４ｅと、円筒部後方側に光軸Ｏ方向に対して斜行する２本のカム溝８４ｋ，８４ｍと、後方外周に有底の回転止め用溝８４ｊとが設けられる。さらに、カム環８４の外周後方部の周方向に沿って所定幅の帯状の段部８４ｈが設けられ、該段部８４ｈ上の２ヶ所に駆動ピン螺着用のネジ穴８４ｉが設けられる。
【００２９】
押さえリング８６は、厚み方向に弾性変形可能な金属板製のリング形状部材であって、図７に示すようにカム環８４の外周の回転止め用溝８４ｊに嵌入する内周方向凸部８６ｊを有し、さらに、前面側左右ライン８６ｐを前方山折り線として僅かな角度だけ折り曲げて形成されている。
【００３０】
レンズ駆動枠８７は、リング状部材であって、図７に示すように前方に突出する係合二股部８７ｃと、内周部８７ｊの一部に内歯歯車部８７ｂとが設けられ、さらに、内周部を通して光軸Ｏに沿って前方に向け延出する真直状の連結腕８８が固定支持される。この連結腕８８は、レンズ駆動枠８７の後端面部にビス７Ｓにより固着される金属板部材であって、連結腕８８の前方部には、根元部より幅が狭く形成された嵌入部８８ｃが設けられる。なお、嵌入部８８ｃは、後述する第二，第三群回転リング５４，６４のガイド用凹部５４ｃ，６４ｃに嵌入する。また、内歯歯車部８７ｂには、後述する合焦レンズ駆動ユニット１０１の減速ギヤ列の出力ギヤ１２３が噛合する。
【００３１】
第二群枠ユニット５０は、図２，６に示すように合焦レンズである第二群レンズ５１と、第二群レンズ５１を保持する第二群レンズ保持枠５２と、第二群回転リング５４と、第二群枠ナット５６と、第二群レンズ外周を覆う不要光カット用レンズキャップ５３とを有してなる。
【００３２】
第二群レンズ保持枠５２には、第二群レンズ５１を保持する開口部と、外周フランジ部５２ｂ上の光軸Ｏに対して略対称位置の上方にスリーブ支持孔５２ｃ、下方にガイドロッド４８が摺動自在の嵌入するガイド用長孔５２ｇとが設けられ、さらに、後方当接面５２ｄと、後方当接面５２ｄより後方に突出する雄ネジ部５２ｅとが設けられる。
【００３３】
スリーブ支持孔５２ｃには、ガイドロッド４７が摺動自在に嵌入するスリーブ４９がガタのある状態で挿入される。そして、第二群レンズの光軸Ｏに対して所定の離間位置にガイドロッド４７を支持する状態でスリーブ４９を位置決めし、スリーブ支持孔５２ｃに接着固定する。なお、上記スリーブの接着を行う場合、スリーブ支持孔５２ｃの中間に設けられる接着剤注入開口部より接着剤が注入される。
【００３４】
第二群回転リング５４は、リング形状の部材であって、中央開口部５４ａと、中央開口部５４ａの後方に設けられる円錐傾斜面５４ｂと、外周部に光軸Ｏに対して略対称な位置に突出する２つの突起部５４ｅとが設けられ、さらに、２つの突起部５４ｅに対して略直交する方向の外周位置に、連結腕８８が摺動自在に嵌入するガイド凹部５４ｃが設けられている。２つの突起部５４ｅには、径方向にそれぞれピン５４ｆが設けられており、それぞれのピン５４ｆには、カムフォロア５５が嵌入され、熱かしめにより固定される。
【００３５】
第二群枠ナット５６は、リング形状の部材であって、第二群レンズ保持枠５２の雄ネジ部５２ｅの外径部に嵌合する中央開口部５６ａと、雄ネジ部５２ｅと螺合可能な雌ネジ部５６ｅと、前端面５６ｄと、前端面後方に第二群回転リング５４の円錐傾斜面５４ｂと等しい傾斜の円錐傾斜面５６ｂと、後端面側にすり割部５６ｃとが設けられる。
【００３６】
第二群枠ユニット５０を組み立てる場合は、第二群レンズ保持枠５２に第二群回転リング５４を挟む状態で第二群枠ナット５６を螺着し、第二群回転リング５４の円錐傾斜面５４ｂと第二群枠ナット５６の円錐傾斜面５６ｂとが摺接する状態とする。この組み付け時に第二群レンズ保持枠５２の後方当接面５２ｄと第二群枠ナット５６の前端面５６ｄの間には、適切な厚みの間隔座板（スペーサ）５７が挿入される。従って、第二群レンズ保持枠５２と第二群回転リング５４とが光軸Ｏ方向並びに光軸Ｏ直交方向のガタが極めて少ない状態でスムーズに相対回転可能に、かつ、光軸Ｏ方向には一体に組み付けられる。
【００３７】
第二群回転ズーム枠５８は、円筒形状の部材であって、図６に示すように内周部に前方挿入口５８ｃを有する、光軸Ｏ方向に斜行する２本のカム溝５８ｄと、外周部５８ｂ上に２つのネジ部５８ｅとが設けられる。そして、カム溝５８ｄには、第二群回転リング５４のカムフォロア５５が挿入口５８ｃより挿入され、摺動自在に嵌入する。また、ネジ部５８ｅには、２段カムフォロアをなす金属製カムフォロア５９Ａと、カムフォロア５９Ａの下方段部に回転自在に嵌入する樹脂製カムフォロア５９Ｂとが嵌入されたビス７Ｎ（図７）が螺着される。
【００３８】
第三群枠ユニット６０は、図２，６に示すように合焦レンズである第三群レンズ６１と、第三群レンズ６１を保持する第三群レンズ保持枠６２と、第三群回転リング６４と、第三群枠ナット６６とを有してなる。
【００３９】
第三群レンズ保持枠６２には、フレア絞り板を有し、第三群レンズ６１を保持する開口部と、外周フランジ部６２ｂ上の光軸Ｏに対して略対称となる位置の上方にガイドロッド４７が摺動自在に嵌入する切り欠き部６２ｅ，下方にスリーブ支持孔６２ｃと、後方当接面６２ｄと、後方当接面６２ｄより後方に突出する雄ネジ部６２ｅとが設けられる。
【００４０】
スリーブ支持孔６２ｃには、ガイドロッド４８が摺動自在に嵌入するスリーブ６３がガタのある状態で挿入される。そして、第三群レンズ６１の光軸に対して所定の離間位置にガイドロッド４８が支持される状態でスリーブ６３を位置決めしてスリーブ支持孔６２ｃに接着固定する。
【００４１】
第三群回転リング６４は、リング形状の部材であって、中央開口部６４ａと、中央開口部６４ａの後方に設けられる円錐傾斜面６４ｂと、外周部に光軸Ｏに対して略対称となる位置で後方に延出する２つの延出部６４ｅと、２つの延出部６４ｅに対して略直交する方向の外周位置に連結腕８８が摺動自在に嵌入するガイド凹部６４ｃと、前方に開口する２つの切り欠き部６４ｈとが設けられている。２つの延出部６４ｅには、径方向にそれぞれピン６４ｆが設けられており、それぞれのピン６４ｆにはカムフォロア６５が嵌入され、熱かしめにより固定される。
【００４２】
なお、２つの切り欠き部６４ｈは、組み立て時に第二群回転リング５４の２つの突起部５４ｅを切り欠き部６４ｈに係合させる。この係合によって、第二群回転リング５４と第三群回転リング６４とのガイド凹部５４ｃ，６４ｃが所定の同位置に位置決めされる。従って、レンズ駆動枠８７の連結腕８８のガイド凹部５４ｃ，６４ｃへの挿入が容易になる。
【００４３】
第三群枠ナット６６は、リング形状の部材であって、第三群レンズ保持枠６２の雄ネジ部６２ｅの外径部に嵌合する中央開口部６６ａと、雄ネジ部６２ｅと螺合可能な雌ネジ部６６ｅと、前端面６６ｄと、前端面後方に第三群回転リング６４の円錐傾斜面６４ｂと等しい傾斜の円錐傾斜面６６ｂと、後端面側にすり割部６６ｃとが設けられる。
【００４４】
第三群枠ユニット６０の組み立ても第二群枠ユニット５０の場合と同様に第三群レンズ保持枠６２に第三群回転リング６４を挟む状態で第三群枠ナット６６を螺着し、第三群回転リング６４の円錐傾斜面６４ｂと第三群枠ナット６６の円錐傾斜面６６ｂとが摺接する状態とする。この組み付け時に第三群レンズ保持枠６２の後方当接面６２ｄと第三群枠ナット６６の前端面６６ｄの間には、適切な厚みの間隔座板（スペーサ）６７が挿入される。従って、第三群レンズ保持枠６２と第三群回転リング６４とが光軸Ｏ方向並びに光軸Ｏ直交方向のガタが極めて少ない状態でスムーズに相対回転可能に、かつ、光軸Ｏ方向には一体に組み付けられる。
【００４５】
第三群回転ズーム枠６８は、円筒形状の部材であって、図６に示すように内周部に前方挿入口６８ｃを有する、光軸Ｏ方向に斜行する２本のカム溝６８ｄと、外周部６８ｂ上には、２つのネジ穴６８ｅと、後面部には、絞枠部材や第四群枠部材の突起等のための２ヶ所の逃げ用切り欠き部６８ｆとが設けられる。なお、カム溝６８ｄには、第三群回転リング６４のカムフォロア６５が挿入口６８ｃより挿入され、摺動自在に嵌入する。また、ネジ穴６８ｅには、２段カムフォロアとしての金属製カムフォロア６９Ａおよびカムフォロア６９Ａの下方段部に回転自在に嵌入する樹脂製カムフォロア６９Ｂを支持するビス７Ｐ（図７）が螺着される。
【００４６】
絞枠ユニット７０は、図７に示すように絞枠部材７１と、絞り前板７１Ａと、絞り駆動板７１Ｂと、複数の絞り羽根７２（図２）と、ステッピングモータである絞り駆動モータ７４と、絞り開放リセット位置検出用絞りＰＩ７９と、絞り駆動モータ７４および絞りＰＩ７９に接続される絞りＦＰＣ７５と、絞りＦＰＣ７５を支持するためのＬ字状のＦＰＣ支持板７６とからなる。
【００４７】
絞枠部材７１は、リング状部材であって、中央開口部７１ａと、後方に突出する突出部７１ｂと、外径方向に突出したフランジ部と突出部７１ｂの先端部とに離間して配される外径方向に突出した一対のロッド嵌合孔７１ｆと、上記フランジ部とは異なる位置でフランジ部に配されるロッド切り欠き部７１ｇと、後方に突出し、絞りＦＰＣ７５の絞り駆動モータ，絞りＰＩ側端部を支持するＦＰＣ支持部７１ｃとが設けられる。さらに、絞枠部材７１には、その内部に複数の絞り羽根７２を回動自在に支持する複数の絞り羽根支持ピン（図示せず）と、絞り駆動モータ７４を支持する支持部（図示せず）と、ＰＩ７９を支持する支持部（図示せず）とが設けられる。なお、突出部７１ｂ上には、光軸Ｏ直交方向のカムフォロア取り付け用ネジ穴７１ｄが設けられ、ネジ穴７１ｄには、２段カムフォロア７３を挿通して支持するビス７Ｑが螺着される。ロッド嵌合孔７１ｆには、ガイドロッド４７が摺動自在に嵌入し、挿通する。ロッド切り欠き部７１ｇには、ガイドロッド４８が摺動自在に嵌入し、挿通する。
【００４８】
絞り駆動板７１Ｂは、円板形状の部材であって、外周にギヤ部が形成されており、絞枠部材７１に回動自在に支持される。この絞り駆動板７１Ｂは、絞り調整時に絞り駆動モータ７４のピニオン（図示せず）により上記ギヤ部を介して回転駆動される。
【００４９】
第四群枠ユニット８０は、図２，７に示すように第四群枠部材７７と、第四群レンズ８１と、第四群レンズ８１を保持する第四群レンズ保持枠８２とを有してなる。
【００５０】
第四群枠部材７７は、中央開口部７７ａを有し、外周部に光軸Ｏに対して略対称位置に突出してガイドロッド４７が摺動自在に嵌入し、挿通するガイド用長孔７７ｆと、ガイドロッド４８が摺動自在に嵌入し、挿通する所定長さのロッド嵌合孔７７ｇとが設けられる。さらに、ロッド嵌合孔７７ｇの側方位置に光軸Ｏ方向と直交する方向のカムフォロア装着用ネジ穴７７ｄが設けられる。ネジ穴７７ｄには、カムフォロア７８を支持するビス７Ｒが螺着される。そして、第四群枠部材７７の後面側には、第四群レンズ保持枠８２を固定するための光軸Ｏ方向に突出する円周状突起部７７ｅ（図２）と、その外方位置に複数のビス穴７７ｃが設けられる。
【００５１】
第四群レンズ保持枠８２は、円筒形状部材であって、第四群レンズ８１を保持する開口部と、前方側に第四群枠部７７の嵌合内面７７ｈと嵌合する嵌合径８２ｃと、前方側円周上に鍔部８２ｂとを有し、後方外周部にフェルト等からなる防塵部材８２Ｂが全周にわたって貼付されている。鍔部８２ｂは、図２に示すように第四群枠部材７７の円周状突起部７７ｅの中にガタのある状態で嵌入可能であり、その鍔部８２ｂの光軸Ｏ方向の厚みは、円周突起部７７ｅの光軸Ｏ方向の高さより僅かに厚い。
【００５２】
第四群枠ユニット８０の組み立て時には、第四群レンズ保持枠８２の嵌合径８２ｃを第四群枠部７７の嵌合内面７７ｈとを嵌合させ、鍔部８２ｂを円周状突起部７７ｅ内に嵌入させる。そこで、ガイドロッド４７，４８で位置決めされている第四群枠部材７７に対して第四群レンズ保持枠８２を回転させて第四群レンズ８１の光軸位置を調整して位置決めし、座金８Ｍを挿通させたビス７Ｍをビス穴７７ｃに螺着する。このビス止めによって第四群枠部材７７と第四群レンズ保持枠８２とが固定される。
【００５３】
次に、上述した構成を有する光学ユニット２の各構成ユニットの組み込みについて説明する。  
第二群回転リング５４に装着された２つのカムフォロア５５を第二群回転ズーム枠５８のカム溝５８ｄに挿入して第二群回転ズーム枠５８内に第二群枠ユニット５０を収納する。同時に第三群回転リング６４に装着された２つのカムフォロア６５を第三群回転ズーム枠６８のカム溝６８ｄに挿入して第三群回転ズーム枠６８内に第三群枠ユニット６０を収納する。
【００５４】
そこで、ガイドロッド４７を前方から順に第二群レンズ保持枠５２のスリーブ４９、第三群レンズ保持枠６２の切り欠き部６２ｅ、絞枠部材７１のロッド嵌合孔７１ｆの前方側孔、第四群枠部材の長孔７７ｆ、ロッド嵌合孔７１ｆの後方側孔を挿通させる。一方、ガイドロッド４８も同様に前方から順に第二群レンズ保持枠５２の長孔５２ｇ、第三群レンズ保持枠６２のスリーブ６３、絞枠部材７１の切り欠き部７１ｇ、第四群枠部材のロッド嵌合孔７７ｇを挿通させる。
【００５５】
上記ロッド挿通により２本のガイドロッド４７，４８によって前方から順に第二群回転ズーム枠５８に支持された第二群枠ユニット５０と、第三群回転ズーム枠６８に支持された第三群枠ユニット６０と、絞枠ユニット７０と、第四群枠ユニット８０とが摺動自在に支持された状態となる。
【００５６】
ガイドロッド４７，４８に支持された状態の各ユニットを固定環８３内に挿入し、ガイドロッド４７，４８の後端部を固定環８３の嵌合穴８３ｆ，８３ｇに嵌入させる。但し、ガイドロッド４７，４８は、嵌合穴８３ｆ，８３ｇに前方側から挿入し嵌合させる。しかし、上記ロッドは、貫通しない状態に保持される。そして、固定環カバー４６を固定環８３の前端面に当て付けて位置決め凸部４６ｈを固定環８３の位置決め凹部８３ｈに嵌入させ、かつ、ガイドロッド４７，４８の前端部を固定環カバー４６の嵌合穴部４６ｆ，４６ｇに嵌入させる。ビス７Ｋをビス挿通穴４６ｂに挿通させて固定環８３のビス穴８３ｂに螺着して、固定環カバー４６を固定環８３に固定する。
【００５７】
上述のように各枠部材が組み込まれた固定環８３の前方円筒部８３ｉにカム環８４の内周部８４ａを回動自在に嵌合し、挿入する。
【００５８】
そこで、３つの２段カムフォロア５９Ａ，５９Ｂをカム環８４の３本の直進溝８４ｄおよび固定環８３の３本のカム溝８３ｄに嵌入、挿通させ、ビス７Ｎを第二群回転ズーム枠５８の外周のネジ穴５８ｅに螺着し、該２段カムフォロアを第二群回転ズーム枠５８に取り付ける。
【００５９】
さらに、３つの２段カムフォロア６９Ａ，６９Ｂを同じくカム環８４の３本の直進溝８４ｄおよび固定環８３の３本のカム溝８３ｅに嵌入、挿通させ、ビス７Ｐを第三群回転ズーム枠６８の外周のネジ穴６８ｅに螺着して該カムフォロアを第三群回転ズーム枠６８に取り付ける。
【００６０】
続いて、２段カムフォロア７３をカム環８４のカム溝８４ｋおよび固定環８３の直進溝８３ｋに挿通させ、ビス７Ｑを絞枠部材７１のネジ穴７１ｄに螺着して該カムフォロアを絞枠部材７１に取り付ける。
【００６１】
さらに、カムフォロア７８をカム環８４のカム溝８４ｍおよび固定環８３の直進溝８３ｍに挿通させ、ビス７Ｒを第四群枠部材７７のネジ穴７７ｄに螺着してカムフォロアを第四群枠部材７７に取り付ける。
【００６２】
押さえリング８６をカム環８４の外周に後方から挿入し、その凸部８６ｊをカム環８４の回転止め用溝８４ｊに挿入し、カム環８４を光軸Ｏの前方に押圧するように段部８４ｈに当接可能状態とする。
【００６３】
レンズ駆動枠８７を固定環８３の後方外周部８３ｊに回転自在に嵌合、挿入させ、連結腕８８の前方の嵌入部８８ｃを第三群回転リング６４のガイド凹部６４ｃおよび第二群回転リング５４のガイド凹部５４ｃに嵌入、挿通させる。レンズ駆動枠８７の係合二股部８７ｃは、固定環８３の後方外周部８３ｊ上を周方向に移動可能となる。
【００６４】
続いて、第一群枠部材の３本の直進溝４３ｄに固定環カバー４６の３つの凸部４６ｄを嵌入させながら第一群枠ユニット４０の第一群枠部材４３の内周部４３ａをカム環８４の外周に摺動可能に嵌入させる。上記嵌入時に、第一群枠部材４３の内周側の３つのカムフォロア部４３ｅは、固定環カバー４６の凹部４６ｃとカム環８４の挿入凹部８４ｃとを経てカム溝８４ｅに摺動自在に嵌入される。
【００６５】
上記第一群枠ユニット４０の取り付けにより光学ユニット２の組み立てが終了する。上記組み立てが終了した光学ユニット２が図１１の斜視図に示される。図１１に示すように組み立て状態の光学ユニット２の後方には、ＦＰＣ支持板７６に保持された絞りＦＰＣ７５が露呈している。
【００６６】
次に、外装ユニット１の各構成部材の詳細構造とその組み付け手順を説明する。  
本枠１１は、軸心が光軸Ｏ方向に沿った円筒形状の部材であって、円筒前端部にフランジ状の前カバー取付部が形成され、円筒後端面部に固定環，制御ユニット，レンズマウント等を取り付るためのネジ部等が設けられる（図１２）。また、本枠１１の円筒部には、周方向に沿って対向する２つの駆動ピン逃げ孔１１ｇ、および、１つの連結腕逃げ孔１１ｈと、周方向に沿った僅かな凹部で形成されるＦＰＣ装着凹部１１ｙと、円筒部外周後部にＦＰＣ装着平面部１１ｊおよび位置決め凹部１１ｉと、前方の円筒部外周に後方への凸部１１ｅが設けられる。
【００６７】
本枠１１には、その前端外周部１１ｂにＯリング５Ａを挿入した状態にて、シールリング６Ａを内周部１２ｂに挿入した状態のリング状の前カバー１２を前端外周部１１ｂに嵌合させる。本枠１１のビス挿通穴１１ａに挿通させたビス７Ａを前カバー１２のビス穴１２ａに螺着して前カバー１２を本枠１１の前面部に固着する。
【００６８】
本枠１１の円筒外周部のＦＰＣ装着部１１ｙには、距離エンコーダＦＰＣ１３が貼付される。この距離エンコーダＦＰＣ１３は、距離エンコーダパターンを有し、光軸Ｏに沿って後方に延出するＦＰＣ延出部１３ｂを有し、その先端にはレンズ鏡筒制御ＦＰＣ１０２との接続用コネクタ端子１３ａが設けられる。
【００６９】
本枠１１の内周部には、前述した図１１に示される第一群枠ユニット４０，固定環８３，カム環８４，レンズ駆動枠８７等が組み込まれた光学ユニット２が前方側から挿入され、固定環８３のビス穴８３ｎ，８３ｐ，８３ｑに本枠１１のビス挿通穴１１ｎ，１１ｐ，１１ｑを挿通させたビス７Ｖを螺着して固定環８３を本枠１１の後端部にて固定する（図１２，１３）。
【００７０】
本枠１１に固定環８３を固定することによって、レンズ駆動枠８７は、本枠１１の後部内周端面１１ｋと固定環８３の段部端面８３ｔとで光軸Ｏ方向の移動が規制された状態で固定環８３の後方円筒部８３ｊ上を回動可能に支持される。また、固定環８３の固定状態でカム環８４の装着されている押さえリング８６が本枠１１の後部内周段部１１ｍで前方に押圧されることから、カム環８４は、前方に押圧され、固定環８３に対して光軸Ｏ方向にガタのない状態で回動可能に支持される。
【００７１】
そこで、固定環８３の後方に露呈している絞りＦＰＣ７５を支持するＦＰＣ支持板７６（図１１）が本枠１１の後端部に取り付けられる。すなわち、本枠１１の後端部の凹部１１l に設けられる位置決めピン１１ｓにＦＰＣ支持板７６の位置決め孔７６ｓを挿入して位置決めし、ビス挿通穴７６ｒに挿通させたビス７Ｌを本枠１１のビス穴１１ｒに螺着すると、ＦＰＣ支持板７６が本枠１１の後端部に取り付けられる（図１２，１３）。
【００７２】
続いて、本枠１１の外周にその後方から距離環１４，中枠１６，目盛環２１，ズーム台２４，ズーム環２６，後カバー３１の順で挿入され、組み付けられるが、次にそれぞれ部材の詳細と組み付け状態を説明する。  
距離環１４は、中央開口を有する円環部材であり、外周にゴムリング１５が嵌合装着され、内周にスリット円板１４Ａが凹部１４ｂで位置決めされて取り付けられる。スリット円板１４Ａは、薄板部材であって、中央開口を有し、ラジアル方向に沿ったスリットが周方向に配置され、外周部に距離環１４の凹部１４ｂに係合する４つの位置決め用凸部１４Ａｂが設けれる。
【００７３】
中枠１６は、中央開口を有する円環部材であり、円環上部の周面の一部に窓部開口を有しており、その窓部開口外面には透明な窓部材１７が接着固定される。中枠１６の前端部に２つのＰＩ装着用凹部１６ｄと１つの回転止め用凹部１６ｅが設けられ、後端面には、ズーム台２４との嵌合当接部１６ｐが設けられる。凹部１６ｄには、距離ＰＩ用ＦＰＣ１８に実装された一対の距離ＰＩ（フォトインタラプタ）１９が嵌入される。その距離ＰＩ１９は、板バネ部材であるＰＩ押さえ２０によって押さえられ、ビス７Ｂを中枠１６のビス穴１６ｇに螺着することによって中枠１６に固定される。
【００７４】
距離ＰＩ用ＦＰＣ１８は、一端に一対の距離ＰＩ１９が実装されており、他端は光軸Ｏに沿って後方に延出し、その先端にレンズ鏡筒制御ＦＰＣ１０２との接続用コネクタ端子１８ａが設けられている。
【００７５】
目盛環２１は、中央開口を有する円環部材であり、中枠１６の内周部１６ｂに回転自在に嵌合する外周部２１ｂを有する。目盛環２１の上方部には光軸Ｏ方向に延出した突起部２１ｄとこの突起部上にビス穴２１ｃが設けられ、その内側にビス７Ｄを用いて距離接片２２が取り付けられる。また、上方部外周には、目盛環２１の回転に連動して進退移動する第二，第三群レンズ５１，６１（フォーカシングレンズ）のフォーカシング被写体距離を示す至近距離から無限遠までの距離標識２１ｅが各回転位置に対応して付されている。目盛環２１の円環下方部には連結腕２３がビス挿通穴２３ｂを挿通させたビス７Ｄにより固着される。
【００７６】
連結腕２３は、光軸Ｏと平行に後方に向けて延出する真直な金属板部材であって、その先端部には内周側に折り曲げて形成された係合部２３ｃが設けられる。
【００７７】
距離環１４と中枠１６と目盛環２１とを本枠１１に組み付ける場合は、予めスリット円板１４Ａを中枠１６側の距離用ＰＩ１９の検出部隙間に挿入させ、かつ、中枠１６の先端部を距離環１４の内周１４ａに回動自在に嵌入させた状態に保持して、距離環１４と中枠１６とを本枠１１の後方側から外周前方部に挿入する。挿入時、中枠１６の前方のリング溝１６ｃにはＯリング５Ｂを挿入しておき、Ｏリング５Ｂの外周に距離環１４の内周１４ａを当接させる。
【００７８】
さらに、目盛環２１を中枠１６の内周に後方から挿入する。そのとき、連結腕２３の係合部２３ｃを本枠１１の連結腕逃げ孔１１ｈに挿通させ、予め本枠１１内に組み込まれているレンズ駆動枠８７の係合二股部８７ｃに係合させる（図７）。
【００７９】
上述した距離環１４と中枠１６と目盛環２１とが本枠１１に組み付けられた状態では、中枠１６は、その前端面が本枠１１の外周面１１ｆに設けられた円周方向のリブ状突部１１ｄの光軸Ｏ方向側面に当接し、かつ、回転止め用凹部１６ｅが本枠１１の凸部１１ｅに係合して支持されるので、本枠１１に対して回転が規制され、距離環１４が本枠１１上で回転可能なように光軸Ｏ方向で位置決めされる。距離環１４は、本枠１１の鍔部外周１１ｃおよび突部（外周）１１ｄに径方向に嵌合して支持され、さらに、本枠１１の外周１１ｆに設けられた円周方向のリブ状突部１１ｋ1の光軸Ｏ方向における側面と摺接して、前方への移動が規制された状態にてスリット円板１４Ａとともに手動回動操作が可能に支持される。目盛環２１は、中枠１６の内周部に嵌合し、前方への移動が規制された状態でレンズ駆動枠８７により回転駆動可能に支持される。
【００８０】
中枠１６の後端の嵌合当接部１６ｐは、後述するズーム台２４の前端の嵌合当接部２４ｐと径方向で嵌合し、軸方向では、Ｏリング５Ｃを介して当接することで中枠１６および距離環１４の後方への移動および径方向は規制される。目盛環２１もズーム台２４の嵌合当接部２４ｐにより後方への移動が規制される。なお、ズーム台２４の嵌合当接部２４ｐの円周溝にはＯリング５Ｃが挿入され、中枠１６の嵌合当接部１６ｐの後端面で押圧されて保持される。
【００８１】
距離環１４を回転操作した場合には距離環１４と一体的に回動するスリット円板１４Ａが中枠１６に固定されている距離ＰＩ１９の間を相対移動するので、距離環操作による距離ＰＩ１９の出力が距離ＰＩ用ＦＰＣ１８側に伝達される。さらに、目盛環２１に装着された距離接片２２は、本枠１１の外周上の距離エンコーダＦＰＣ１３のエンコーダパターン上を摺接することから目盛環２１の回転位置出力が距離エンコーダＦＰＣ１３側に伝達される。なお、上記組み付け状態で距離エンコーダＦＰＣ１３のコネクタ端子１３ａ側、および、距離ＰＩ用ＦＰＣ１８のコネクタ端子１８ａ側は、ともに本枠１１の後方まで延出している。
【００８２】
ズーム台２４は、軸心が光軸Ｏ方向に沿った円筒形状の部材であって、本枠１１の外周１１ｆに摺動自在に嵌入する内周部２４ｆを有する。ズーム台２４の前端部には中枠１６との嵌合当接部２４ｐと、前方鍔部２４ｃが設けられ、また、後端部側には僅かに小径となる外周段部２４ｍが形成されている。ズーム台２４の円筒部上には、周方向に延びる２つの駆動ピン挿通長孔２４ｇと、コネクタ逃げ用切り欠き部２４ｊと、ＦＰＣ装着用凹部２４ｙと、ＦＰＣ挿通孔２４ｈとが設けられ、後端部内周面には回転止め用凸部２４ｉが設けられる。
【００８３】
ＦＰＣ装着用凹部２４ｙには、ズームエンコーダパターンを有するズームエンコーダＦＰＣ２５が貼付される。ズームエンコーダＦＰＣ２５は、ＦＰＣ挿通孔２４ｈを挿通して本枠１１の後方への延出する延出部２５ｂを有しており、延出部２５ｂの先端には、ズームエンコーダコネクタ端子２５ａが設けられる。
【００８４】
ズーム環２６は、軸心が光軸Ｏ方向に沿った円筒形状の部材であって、ズーム台２４の円筒外周部に挿入される円筒内周部２６ｄを有する。そして、ズーム環２６の前端部には、円筒部２６ａより僅かに大径の段部であって、ズーム標識２６ｒが付される所定幅の先端外周部２６ｑと、ズーム台２４の前方鍔部２４ｃの外周と径方向で嵌合し、光軸Ｏ方向において鍔部２４ｃの側方と摺接する前方内周段部２６ｃとが形成されている。また、後端部にはズーム環内周より僅かに小径となる後方内周段部２６ｍと、後カバー３１との嵌合当接部２６ｐが形成されている。
【００８５】
さらに、ズーム環２６の円筒部２６ａには、駆動ピン８５が略対向して嵌入可能な光軸Ｏ方向に僅かに長い長穴である２つの駆動ピン長孔２６ｂと、ズームエンコーダ接片２７が装着される凹部２６ｅとが設けられる。なお、円筒内周部２６ｄとズーム台２４の円筒外周部との間には、ズームエンコーダを配するために所定の隙間が設けられる。
【００８６】
凹部２６ｅには、その中央部に接片露呈用開口部２６ｆと、周方向端部に係止孔２６ｇ，２６ｈとが設けられており、ズームエンコーダ接片２７と、その背面を押圧保持する接片カバー２８とが挿入される。接片カバー２８には両端に係止突起２８ｇ，２８ｈが設けられており、装着時に係止突起２８ｇ，２８ｈを係止孔２６ｇ，２６ｈの係止させ、上記接片，カバーの脱落が防止される。
【００８７】
後カバー３１は、円環状の部材であって、前端部にズーム環２６に嵌合摺接する嵌合摺接部３１ｐが設けられ、後端内面に円周状の後方当接面３１ｋが設けられている。後方当接面３１ｋ上には、ビス挿通穴３１ｖ，３１ｗが設けられる。また、光軸Ｏ方向に短い筒状の円周部に沿って、通気孔群３１ｂが２カ所に設けられる。該各通気孔群３１ｂの両端と中央にカバー支持孔３１ｃが設けられる。
【００８８】
各通気孔群３１ｂの上部には、２枚の撥水シート３３を載せ、これらの通気孔群３１ｂを塞ぐように撥水シートカバー３２でカバーする。撥水シートカバー３２は、支持ピン３２ｃをカバー支持孔３１ｃに挿入して接着固定される。撥水シートカバー３２と撥水シート３３の間には、外気に連通する僅かな隙間が設けられている。
【００８９】
距離環１４，中枠１６，目盛環２１が組み付けられた本枠１１の外周にズーム台２４とズーム環２６と後カバー３１とが順次組み付けられる。  
まず、ズーム台２４の凹部２４ｙにズームエンコーダＦＰＣ２５を貼付して、さらに、Ｏリング５Ｃをズーム台２４の嵌合当接部２４ｐ上の前面のリング溝に挿入し、Ｏリング５Ｄを外周のリング溝２４ｄにそれぞれ挿入する。そのズーム台２４を本枠１１の外周１１ｆに後方から嵌入し、中枠１６の後方の嵌合当接部１６ｐに前方の嵌合当接部２４ｐを嵌合当接させる。ズーム台２４の後端部の凸部２４ｉを本枠１１の後端部の回転止め凹部１１ｉに係合させてズーム台２４の回転方向の位置決めを行う。
【００９０】
そこで、ズーム台２４の外周に先端外周部２６ｑを前側としてズーム環２６を後方側から嵌入させる。すなわち、ズーム台２４の鍔部２４ｃにズーム環２６の前方内周段部２６ｃを嵌合当接させ、同時にズーム台２４の段部２４ｍの外径にズーム環２６の後方内周段部２６ｍの内径を嵌合させる。
【００９１】
ここで、合焦レンズ駆動ユニット１０１とレンズ鏡筒制御ＦＰＣ１０２とからなる制御ユニット３の詳細な構成について、図８を用いて説明する。  
合焦レンズ駆動ユニット１０１は、レンズ鏡筒制御ＦＰＣ１０２にモータ１２１からのモータリード線１２５を半田付けされ、モータＰＩ用ＦＰＣ１０２ｅを介して連らなっていて、減速ギヤ列および減速出力ギヤ１２３を内蔵する減速ギヤボックス１２２と、ギヤボックス１２２を介して支持されるフォーカスモータ１２１と、フォーカスモータ１２１のモータ出力ギヤの回転量を検出するためのモータＰＩ１１２と、取り付け板１２４とを有してなる。フォーカスモータ１２１と減速ギヤボックス１２２とモータＰＩとは、取り付け板１２４を介してビスで固定されている。
【００９２】
レンズ鏡筒制御ＦＰＣ１０２には、その裏面部に該ＦＰＣ１０２を鏡筒内に所定の形状維持して収納し、取り付けるためのＦＰＣ支持板１０３が貼付されている。このＦＰＣ支持板１０３は、図８，１０に示すようにレンズ鏡筒制御ＦＰＣ１０２のメインＦＰＣ部を支持する鏡筒光軸と平行な平面を有するメイン部分１０３ｅと、これに繋がり、鏡筒光軸Ｏと平行な線で若干の折り曲げがなされ、鏡筒円周方向に配置され鏡筒光軸Ｏと平行な平面である折返ＦＰＣ部１０２ａを支持する折曲部１０３ａを有し、さらに、メイン部分１０３ｃと繋がり折り曲げられ、本枠１１へ取り付けるための鏡筒光軸Ｏと直交する平面である取付部１０３ｂとを有している。取付部１０３ｂにはビス挿通穴１０３ｃ、１０３ｄが設けられている。
【００９３】
レンズ鏡筒制御ＦＰＣ１０２は、ＰＩ１１２を除く実装電気部品（ＩＣ１０５等）やコネクタ等が片面に実装されるＦＰＣであって、図８，９に示すようにＦＰＣ支持板１０３のメイン部分１０３ｅの裏面に貼付されるＦＰＣ部１０２ｉと、これに連なり折り曲げ部１０３ａの裏面に貼付されるメインＦＰＣ１０２ａと、メインＦＰＣ１０２ａの一端から連なり折り曲げられ折り曲げ部１０３ａの表面に貼付され、その実装面には距離エンコーダＦＰＣ用コネクタ１０７，ズームエンコーダＦＰＣ用コネクタ１０８，絞りＦＰＣ用コネクタ１０９が実装されるＦＰＣ部１０２ｈと、ＦＰＣ部１０２ｉに連なる部分で、一部分がメイン部分１０３ｅの表面に貼付される中継ＦＰＣ部１０２ｃと、この中継ＦＰＣ部１０２ｃから繋がりマウント接点部材１１１が実装されるＦＰＣ部１０２ｄと、ＦＰＣ部１０２ｄから延出し、他の電気部品が実装された実装面とは反対面の先端にモータＰＩ１１２が実装されるＦＰＣ部１０２ｅと、ＦＰＣ部１０２ｉから突出して設けられるアースＦＰＣ１０２ｆとが設けられる。さらに、メインＦＰＣ部１０２ａから突出して配置され部分で、距離ＰＩ用コネクタ１１０が実装されるコネクタ実装部１０２ｂが設けられる。なお、上述したＦＰＣ１０２の説明中の表面、裏面とは、支持板１０３、ＦＰＣ１０２が鏡筒内に組みつけられたとき、鏡筒光軸Ｏより見たとき、見える面を表面、その裏側面を裏面とする。
【００９４】
マウント接点部材１１１には、カメラボディ側との通信用接点であるレンズマウント接点部１１１ａが後端面に配置されている。レンズマウント接点部１１１ａは、中継ＦＰＣ部１０２ｃを介してレンズ鏡筒制御ＦＰＣ１０２に接続されている。
【００９５】
固定環８３と本枠１１とを結合した後、後カバー３１を取り付ける前であって、上記各ＦＰＣのコネクタ接続の前に、図１２，１３，１４に示すようにフォーカスモータ１２１を本枠１１の後方から固定環８３の内部に挿入して、減速ギヤ列の出力ギヤ１２３をレンズ駆動枠８７の内歯歯車部８７ｂに噛合させながら、減速ギヤボックス１２２を本枠１１の後面のギヤボックス位置決め用凹部１１ｏにこの凹部平面に設けられた一対のピン１１ｔで位置決めする。そして、２本のビス７Ｔを減速ギヤボックス１２２のビス挿通穴１２２ｓ，１２２ｒを挿通させ（図８）、固定環８３のビス穴８３ｓ，８３ｒに螺着して減速ギヤボックス１２２およびフォーカスモータ１２１を固定環８３に後端部に固着する。
【００９６】
さらに、レンズ鏡筒制御ＦＰＣ１０２が一体化されたＦＰＣ支持板１０３を本枠１１の後方から枠内に挿入し、ＦＰＣ支持板１０３の取付部１０３ｂを図１３，１４に示すように本枠１１の後端部の支持板取付凹部１１ｚに装着する。ビス７Ｕを取付部１０３ｂのビス挿通穴１０３ｃ，１０３ｄを挿通させ、本枠１１のビス穴１１ｕに螺着して取付部１０３ｂを本枠１１に固定する。この取付部１０３ｂの固定によって、レンズ鏡筒制御ＦＰＣ１０２は、本枠１１の後端部に収納、固定される。すなわち、固定枠である固定環８３，本枠１１の内周に保持される。
【００９７】
後カバー３１を取り付ける前の状態でレンズ鏡筒制御ＦＰＣ１０２に実装されている各コネクタ端子にＦＰＣコネクタ端子を接続する。すなわち、距離エンコーダＦＰＣ用コネクタ１０７には、距離エンコーダＦＰＣ１３のコネクタ端子１３ａを接続する。ズームエンコーダＦＰＣ用コネクタ１０８にはズームエンコーダＦＰＣ２５のコネクタ端子２５ａを接続する。絞りＦＰＣ用コネクタ１０９には絞りＦＰＣ７５のコネクタ端子７５ａを接続する。距離ＰＩ用コネクタ１１０には距離ＰＩ用ＦＰＣ１８のコネクタ端子１８ａを接続する。
【００９８】
そこで、Ｏリング５Ｅを嵌合当接部３１ｐのリング溝に装着した状態の後カバー３１をズーム環２６の後方の本枠１１の後端部に挿入して、ズーム環２６の後方の嵌合当接部２６ｐに後カバー３１の嵌合当接部３１ｐを嵌合させ、Ｏリング５Ｅを圧縮しながらＯリング５Ｅを介して嵌合当接部２６ｐと嵌合当接部３１ｐとを当接させる。そのとき、ズーム台２４の後端面に後カバー３１の後方当接面３１ｋが当接する。後カバー３１のビス挿通穴３１ｖ，３１ｗに挿通させたビス７Ｅを本枠１１のネジ孔１１ｖ，１１ｗ（図１２）に螺着して後カバー３１を本枠１１に固着する。
【００９９】
後カバー３１の装着後、または、装着前に駆動ピン８５をズーム環２６の駆動ピン長孔２６ｂに嵌入挿通させ、さらに、ズーム台２４の駆動ピン挿通長孔２４ｇを挿通させて、予め本枠１１内に組み込まれているカム環８４の駆動ピン用ネジ穴８４ｉに駆動ピン８５を螺着する。また、ズーム環２６の凹部２６ｅにズームエンコーダ接片２７を挿入し、接片カバー２８を該接片背面上に取り付ける。その取り付け状態でゴムリング２９をズーム環２６の外周部に挿入する。
【０１００】
上述したズーム台２４，ズーム環２６，後カバー３１の組み付け状態では、ズーム台２４は、後カバー３１によって後方から本枠１１に対して光軸Ｏ方向に押さえられ、回転，軸方向移動がともに規制されて支持される。ズーム環２６も後カバー３１によって後方から本枠１１に対して光軸Ｏ方向に押さえられ、軸方向の移動が規制された状態でズーム台２４に対して回転自在に支持される。さらに、ズーム台２４を介して中枠１６と目盛環２１は、光軸Ｏ方向後方への移動も規制される。
【０１０１】
上記組み立て状態において、ズーム環２６の回転操作にともなって駆動ピン８５を介して光学ユニット２側のカム環８４が回転駆動される。そのズーム環２６の回転によりズームエンコーダ接片２７がズームエンコーダＦＰＣ２５のパターン上を摺動することからズームエンコーダＦＰＣ２５のコネクタ端子２５ａを介してＦＰＣ１０２側にズームエンコーダ信号が出力される。
【０１０２】
その後、レンズ鏡筒制御ＦＰＣ１０２に実装されているマウント接点部材１１１を後述するレンズマウント３６に装着して、レンズマウント３６を本枠１１の後端面に取り付ける。
【０１０３】
レンズマウント３６は、図２，５に示すように開口部３６ａを有し、フランジ部の後方側に設けられるバヨネット爪部３６ｉと、フランジ部内周にマウント接点部材装着用凹部３６ｂと、前面側にモータ取り付け板の逃げ用凹部３６ｃと、カメラボディに対するレンズマウントロック用係合孔３６ｇと、ビス挿通穴３６ｄ等が設けられる。
【０１０４】
カバー後枠３７は、第四群レンズ保持枠８２の外周に嵌合可能な筒部３７ａと、第四群枠部材８２に対する逃げ用凹部３７ｃと、マウント接点部材逃げ用切り欠き部３７ｂと、フランジ部に設けられるビス挿通穴３７ｅとが設けられる。なお、筒部３７ａの前端部内周には、内面に防塵材が配された切り欠き部３８ａを有する防塵カバーリング３８が挿入接着される。
【０１０５】
レンズマウント３６を本枠１１の後端面に取り付ける場合、まず、マウント接点部材１１１をレンズマウント３６の接点装着用凹部３６ｂに嵌め込み、レンズマウント３６のビス挿通穴３６ｆを挿通させたビス７Ｇをマウント接点部材１１１のビス穴１１１ｂ（図８）に螺着してマウント接点部材１１１をレンズマウント３６に固着する。そして、レンズマウント３６のビス挿通穴３６ｄにビス７Ｆを挿通させ、本枠１１の後端面のビス穴１１ｘに螺着して、レンズマウント３６を本枠１１および後カバー３１の後端面に固定する。
【０１０６】
レンズマウント３６の取り付けの際、本枠内に組み込まれた光学ユニット２の光学系のフランジバック量を所定の距離に調整するため、適切な厚みを有する単数、または、複数枚の間隔座板（スペーサ）３５を選択し、本枠１１および後カバー３１の後端面に載せ、間隔座板３５を挟んだ状態でレンズマウント３６を固定する。
【０１０７】
さらに、レンズマウント３６の取り付けの際には、レンズマウント３６の外周と後カバー３１の後端面段部にパッキン材であるシールリング６Ｂを挿入した状態でレンズマウント３６を本枠１１に装着する。
【０１０８】
その後、レンズマウント３６の開口部３６ａにカバー後枠３７の筒部を挿入して、ビス７Ｈをビス挿通穴３７ｅに挿通させてレンズマウント３６のビス穴３６ｅに螺着してカバー後枠３７をレンズマウント３６に取り付ける。
【０１０９】
上述したレンズマウント３６，カバー後枠３７の装着により外装ユニット１，光学ユニット２，制御ユニット３等からなる第一のレンズ鏡筒１０の組み立て作業は、終了する。
【０１１０】
次に、上述した第一のレンズ鏡筒１０の光学ユニット２を構成する各枠部材の支持状態および移動動作について説明する。  
本枠１１に対して固定環８３は、後端部で結合され一体化している。そして、第一群枠ユニット４０の第一群枠部材４３は、固定環８３に固着される固定環カバー４６の凸部４６ｄで回転規制された状態で光軸Ｏ方向に進退移動が可能であり、カム環８４が回転操作されるとカム環８４のカム溝８４ｅによって進退移動する。
【０１１１】
第二群枠ユニット５０における第二群レンズ保持枠５２は、ガイドロッド４７，４８により回転規制状態で光軸Ｏ方向に進退移動が可能である。第二群回転リング５４は、第二群レンズ保持枠５２とともに光軸Ｏ方向に移動するとともにレンズ駆動枠８７の回転に連動して回転駆動される。第二群回転ズーム枠５８は、カム環８４の直進溝８４ｄに沿ってカム環８４とともに回転駆動され、かつ、固定環８３のカム溝８３ｄによって光軸Ｏ方向にも進退移動する。そして、第二群回転ズーム枠５８の回転と光軸Ｏ方向の進退移動に伴ってカム溝５８ｄを介して第二群回転リング５４の進退位置が定まり、さらに、第二群レンズ保持枠５２の光軸Ｏ方向の進退位置が定まる。
【０１１２】
一方、第三群枠ユニット６０における第三群レンズ保持枠６２も同様にガイドロッド４７，４８により回転規制状態で光軸Ｏ方向に進退移動が可能である。第三群回転リング６４は、第三群レンズ保持枠６２とともに光軸Ｏ方向に移動するとともにレンズ駆動枠８７の回転に連動して回転駆動される。第三群回転ズーム枠６８は、カム環８４の直進溝８４ｄに沿ってカム環８４とともに回転駆動され、かつ、固定環８３のカム溝８３ｅによって光軸Ｏ方向にも進退移動する。そして、第三群回転ズーム枠６８の回転と光軸Ｏ方向の進退移動に伴ってカム溝６８ｄを介して第三群回転リング６４の進退位置が定まり、第三群レンズ保持枠６２の光軸Ｏ方向の進退位置が定まる。
【０１１３】
絞枠ユニット７０は、ガイドロッド４７，４８により回転規制された状態で光軸Ｏ方向に進退移動が可能であり、カム環８４のカム溝８４ｋによりカムフォロア７３を介して光軸Ｏ方向に進退駆動される。
【０１１４】
第四群枠ユニット８０は、ガイドロッド４７，４８により回転規制された状態で光軸Ｏ方向に進退移動が可能であり、カム環８４のカム溝８４ｍによりカムフォロア７８を介して光軸Ｏ方向に進退駆動される。
【０１１５】
第一のレンズ鏡筒１０において、ズーミングを行うためにズーム環２６をゴムリング２９を介して回転操作した場合、カム環８４の回転にともなって第一群枠ユニット４０が光軸Ｏ方向の所望のズーム位置に進退移動する。また、第二群，第三群回転ズーム枠５８，６８がそれぞれカム環８４の回転にともなって回転し、かつ、光軸Ｏ方向に移動する。
【０１１６】
第二群，第三群回転リング５４，６４は、非回転状態のレンズ駆動枠８７により回転規制状態に保持された状態で第二群，第三群回転ズーム枠５８，６８の光軸Ｏ方向の移動量に、さらに、該ズーム枠５８，６８の回転にともなうカム溝による移動量が重畳されて光軸Ｏ方向に移動する。該回転リング５４，６４とともに第二群，第三群レンズ保持枠５２，６２がそれぞれ所望のズーム位置に進退移動する。さらに、絞枠ユニット７０および第四群枠ユニット８０は、カム環８４の回転に伴ってカム溝８４ｋ，８４ｍを介してそれぞれの所望のズーム位置に進退移動する。
【０１１７】
そのズーミング時のズーム環２６の回転位置は、ズームエンコーダＦＰＣ２５を介してレンズ鏡筒制御ＦＰＣ１０２側に伝達され、装着されているカメラボディ側にズーム位置信号として出力される。
【０１１８】
続いて、距離環１４をゴムリング１５を介して回転操作した場合、一対の距離ＰＩ１９によりその回転量および回転方向が検出される。その回転量出力は、距離ＰＩ用ＦＰＣ１８を介してレンズ鏡筒制御ＦＰＣ１０２側に伝達され、上記回転量出力に対応した距離に合焦するべくフォーカスモータ１２１が回転駆動される。一方、装着されるカメラボディ側からフォーカシング距離データがレンズマウント接点部１１１ａを介してレンズ鏡筒制御ＦＰＣ１０２に取り込まれた場合は、該フォーカシング距離データに基づいてフォーカスモータ１２１が必要な方向に所定量回転駆動される。
【０１１９】
フォーカスモータ１２１が回転駆動されるとレンズ駆動枠８７が回転駆動され、連結腕８８を介して第二群，第三群回転リング５４，６４がともに回転駆動される。その回転駆動に伴ってフォーカシング時には停止している第二群，第三群回転ズーム枠５８，６８のカム溝に沿って第二群，第三群回転リング５４，６４が進退移動する。第二群，第三群回転リング５４，６４とともに第二群，第三群レンズ保持枠５２，６２がそれぞれフォーカシング位置に移動する。レンズ駆動枠８７の回転は、連結腕２３を介して目盛環２１に伝達される。目盛環２１の回転位置信号は、距離エンコーダＦＰＣ１３を介してレンズ鏡筒制御ＦＰＣ１０２側に伝達され、さらに、レンズマウント接点部１１１ａを介してカメラボディ側に伝達される。同時にフォーカスモータ１２１の回転量は、モータＰＩ１１２によって検出され、レンズ鏡筒制御ＦＰＣ１０２側に伝達される。
【０１２０】
第一のレンズ鏡筒１０において、絞り駆動が行われる場合は、レンズマウント接点部１１１ａを介して絞り信号がレンズ鏡筒制御ＦＰＣ１０２側に取り込まれ、絞り駆動モータ駆動信号に変換される。上記絞り駆動モータ駆動信号は、絞りＦＰＣ７５を介して絞り駆動モータ７４に伝達され、絞り駆動板７１Ｂを介して絞り羽根７２が回転駆動される。絞り駆動板７１Ｂの全開放位置（リセット位置）信号は、絞りＰＩ７９により検出され、絞りＦＰＣ７５を介してレンズ鏡筒制御ＦＰＣ１０２側に取り込まれる。
【０１２１】
次に、第一のレンズ鏡筒１０のズーム駆動装置によるズーミング時およびフォーカシング時におけるズーム環およびレンズ駆動枠の回転に対する各レンズ及び絞りの進退位置（すなわち、各レンズ枠及び絞枠の進退位置）について、図１５〜１８等を用いて詳細に説明する。
【０１２２】
図１５は、第一のレンズ鏡筒１０のワイド状態におけるカム環，固定環，第二，第三群回転ズーム枠およびカムフォロアを外周側から見た展開図である。図１６は、レンズ鏡筒１０のテレ状態におけるカム環，固定環，回転ズーム枠およびカムフォロアを外周側から見た展開図である。図１７は、レンズ鏡筒１０のズーミングおよびフォーカシング時における第二，第三群回転ズーム枠を外周側から見たカムフォロアの移動状態を示す展開図である。図１８は、レンズ鏡筒１０における各レンズ群，絞枠のズーミングおよびフォーカシング時の移動軌跡を示す図である。
【０１２３】
以下の説明において、第一のレンズ鏡筒１０におけるワイドから標準（ズーム）へのズーミング時のカム環８４の回転角を時計回りのθS とする。ワイドからテレへのズーミング時のカム環８４の回転角を時計回りのθT とする。ワイド状態にあって無限遠から至近にフォーカシングするときのレンズ駆動枠８７の回転角を反時計回りのθ0 とする。標準状態にあって無限遠から至近にフォーカシングするときのレンズ駆動枠８７の回転角を反時計回りのθ1 とする。テレ状態にあって無限遠から至近にフォーカシングするときのレンズ駆動枠８７の回転角を反時計回りのθ2 とする。
【０１２４】
第一のレンズ鏡筒１０のワイドからテレへのズーミング動作において、カム環８４の時計回りの回転角θT の回転にともなって、第一群レンズ４１を支持する第一群枠部材４３は、固定環カバー４６に回転が規制された状態のもとでカム溝８４ｅによって前方に所定の移動量だけ繰り出される（図１５，１６，１８）。
【０１２５】
同時に上記ワイドからテレへのズーミング動作にて、絞り羽根を内蔵する絞枠部材７１は、ガイドロッド４７，４８で回転規制された状態でカム環８４のカム溝８４ｋによって前方に所定の移動量だけ繰り出される（図１５，１６，１８）。
【０１２６】
同様に、上記ワイドからテレへのズーミング動作にて、第四群レンズ８１を支持する第四群枠部材７７は、同様にガイドロッド４７，４８で回転規制された状態でカム環８４のカム溝８４ｍによって前方に所定の移動量だけ繰り出される（図１５，１６，１８）。
【０１２７】
なお、フォーカシング動作時におけるレンズ駆動枠８７の回転にともなう第一群枠部材４３と絞枠部材７１と第四群枠部材７７の移動はない。
【０１２８】
一方、第二群レンズ５１と第三群レンズ６１とは、ズーミング時とフォーカシング時ともに進退移動する。  
第二群レンズ５１は、第二群レンズ保持枠５２に保持され、第二群レンズ保持枠５２は、第二群回転リング５４に光軸Ｏ方向に一体に支持されている。従って、第二群レンズ５１の光軸Ｏ方向（光軸上）への移動量は、第二群回転リング５４に固着されるカムフォロア５５の光軸Ｏ方向（光軸上）への移動量と同一である。また、第三群レンズ６１の光軸Ｏ方向（光軸上）への移動量も同様に第三群回転リング６４に固着されるカムフォロア６５の光軸Ｏ方向（光軸上）への移動量と同一である。従って、以下の説明では、第二群レンズ５１、または、第三群レンズ６１の光軸Ｏ方向（光軸上）への移動量をそれぞれカムフォロア５５、または、６５の光軸Ｏ方向（光軸上）への移動量によって説明する。なお、以下の説明において、移動量が光軸Ｏ方向（光軸上）への移動量であることの記載は、省略する。
【０１２９】
ワイド状態にて無限遠から至近にフォーカシングされた場合、第二群回転ズーム枠５８は、ワイド位置に止まった状態で第二群回転リング５４がレンズ駆動枠８７によって反時計回りにθ0 だけ回転駆動される（図１５）。上記回転によってカムフォロア５５は、第二群回転ズーム枠５８のカム溝５８ｄに沿って移動し、ワイドで無限遠合焦位置（以下、ワイド／∞位置と記載）からワイドで至近合焦位置（以下、ワイド／至近位置と記載）へのカムフォロア５５の移動量は、α0となる（図１５，１８）。
【０１３０】
フォーカシング位置が∞位置に固定されている状態でワイドからテレにズーミングされた場合、第二群回転ズーム枠５８は、カム環８４とともに時計回りに回転角θT だけ回転するので、固定環８３のカム溝８３ｄにより移動量−Ｚ2 だけ繰り込まれる（図１６）。そのとき、第二群回転リング５４は回転せず、第二群回転ズーム枠５８のカム溝５８ｄによりカムフォロア５５は、移動量αT だけ前方に移動する。結果としてワイド／∞位置からテレ／∞位置へのカムフォロア５５の移動量は、移動量αT に移動量−Ｚ2 が加算され、αT −Ｚ2 となる（図１８）。
【０１３１】
テレ状態にて∞位置から至近位置にフォーカシングされた場合、第二群回転ズーム枠５８はテレ位置にあって、第二群回転リング５４がレンズ駆動枠８７によって反時計回りにθ2 だけ回転駆動される（図１６）。上記回転によってカムフォロア５５が第二群回転ズーム枠５８のカム溝５８ｄに沿ってテレ／∞位置からテレ／至近位置へ移動量＋α2 だけ移動する（図１５，１８）。従って、ワイド／∞位置からテレ／至近位置へのカムフォロア５５の移動量は、（αT −Ｚ2 ）＋α2 となる（図１８）。
【０１３２】
次に、第三群レンズ６１（第三群回転リング６４のカムフォロア）の移動量について説明する。この場合も前記第二群レンズ５１と同様であって、ワイド状態にて無限遠から至近にフォーカシングされた場合、第三群回転ズーム枠６８はワイド位置に止まり、第三群回転リング６４がレンズ駆動枠８７によって反時計回りに回転角θ0 だけ回転駆動される（図１５）。上記回転によってカムフォロア６５が第三群回転ズーム枠６８のカム溝６８ｄに沿って移動し、ワイド／無限遠（∞）位置からワイド／至近位置へのカムフォロア６５の移動量は、β0 となる（図１５，１８）。
【０１３３】
フォーカシング位置が∞位置に固定されている状態でワイドからテレにズーミングされた場合、第三群回転ズーム枠６８は、ワイドからテレへのズーミング時にカム環８４とともに時計回りに回転角θT だけ回転するので、固定環８３のカム溝８３ｅにより移動量−Ｚ3 だけ繰り込まれる（図１６）。そのとき、第三群回転リング６４は回転しないので第三群回転ズーム枠６８のカム溝６８ｄによりカムフォロア６５は、移動量βT だけ前方に移動する。結果としてワイド／∞位置からテレ／∞位置へのカムフォロア６５の移動量は、βT −Ｚ3 となる（図１８）。
【０１３４】
テレ状態にて∞位置から至近位置にフォーカシングされた場合、第三群回転ズーム枠６８はテレ位置にあって、第三群回転リング６４がレンズ駆動枠８７によって、反時計回りにθ2だけ回転駆動される（図１６）。上記回転によってカムフォロア６５が第三群回転ズーム枠６８のカム溝６８ｄに沿って移動量＋β2（テレ／∞位置基準）だけ移動する（図１５，１８）。従って、ワイド／∞位置からテレ／至近位置へのカムフォロア６５（従って、第三群レンズ６１）移動量は、（βT −Ｚ3 ）＋β2となる（図１８）。
【０１３５】
上述のように第二、第三回転ズーム枠５８，６８とカムフオロア５５，６５との光軸Ｏ方向での相対的位置は、ズーミングによる第二，第三群回転ズーム枠５８，６８自身の回転とフォーカシングによるレンズ駆動枠８７の回転に伴って生じるカム溝５８ｄ，６８ｄ上でのカムフォロア５５，６５の位置で決定されることなる。言い換えれば、カムフォロア５５，６５のカム溝５８ｄ，６８ｄのカム筋上での相対位置は、ズーミングによる第二，第三群回転ズーム枠５８，６８自身の回転とフォーカシングによるレンズ駆動枠８７の回転によって決定される。従って、第二、第三回転ズーム枠５８，６８のカム溝５８ｄ，６８ｄには、それぞれフォーカシングのためのカム領域とズーミングのためのカム領域が重畳して配置されていることになる。そして、ズーミングによるカムフォロア５５，６５の本枠１１に対する移動量（光軸上、光軸Ｏ方向への移動量）は、カムフォロア５５，６５に対し回転する第二、第三回転ズーム枠５８，６８のカム溝５８ｄ、６８ｄの作用によって生じる光軸方向への相対的移動量と、カム環８４の直進溝８４ｄと固定環８３のカム溝８３ｄとの作用により第二，第三回転ズーム枠５８，６８自身の光軸Ｏ方向への移動量とを加算したものとなる。フォーカシングによるカムフォロア５５，６５の本枠１１に対する移動量（光軸上、光軸Ｏ方向ヘの移動量）は、第二，第三回転ズーム枠５８，６８のカム溝５８ｄ、６８ｄに対して回転する第二群回転リング５４、第三群回転リング６４のカムフォロア５５，６５の移動による光軸Ｏ方向への移動量のみである。
【０１３６】
ここで、ズーミング時およびフォーカシング時における第二，第三回転ズーム枠５８，６８のカム溝５８ｄ，６８ｄによる第二，第三群回転リング５４，６４のカムフォロア５５，６５の相対的移動量を図１７の回転ズーム枠展開図を用いて説明する。  
図１７は、ワイド，標準（ズーム），テレのズーミング時またはフォーカシング時におけるカム溝５８ｄ，６８ｄによるカムフォロア５５，６５の移動量をまとめて示している。
【０１３７】
まず、カムフォロア５５の光軸Ｏ方向の移動量について説明すると、∞合焦状態にてズーミング時に第二群回転ズーム枠５８がワイドから標準まで回転角θS （但し、θS ＜θ0 ）だけ回転した場合、カムフォロア５５は、位置５５W1から位置５５S1へ移動し、その移動量は、αS となる。また、∞合焦状態にてワイドからテレまで回転角θT （但し、θT ＜（θS ＋θ1 ））だけ回転すると、カムフォロア５５は、位置５５W1から位置５５T1へ移動し、その移動量は、αT となる。
【０１３８】
また、ワイド状態でのフォーカシング時に第二群回転リング５４が∞位置から至近位置まで回転角θ0（但し、θ0 ＜θT ，θ0 ＜（θS ＋θ1 ））だけ回転すると、カムフォロア５５は、位置５５W1から位置５５W2へ移動し、その移動量は、α0となる。標準状態で∞位置から至近位置まで回転角θ1だけ回転すると、カムフォロア５５は、位置５５S1から位置５５S2へ移動し、その移動量は、α1となる。テレ状態で∞位置から至近位置まで回転角θ2だけ回転すると、カムフォロア５５は、位置５５T1から位置５５T2へ移動し、その移動量は、α2となる。
【０１３９】
結果的にカムフォロア５５のワイド／∞位置５５W1を基準にしたとき、ワイド状態，標準状態，テレ状態における各至近位置までのカムフォロア５５の移動量は、それぞれα0，αS ＋α1，αT＋α2で与えられる。なお、これらのカムフォロア５５の移動量に対して前述したように第二群回転ズーム枠５８のズーミング時の移動量、例えば、−Ｚ2 （ワイドとテレ間）を加算すれば、実際のカムフォロア５５の移動量、従って、第二群レンズ５１の本枠１１に対する移動量が得られる。
【０１４０】
カムフォロア６５の移動量についてもカムフォロア５５の移動量と同様に図１７上で求めることができる。∞合焦状態にてズーミング時に第三群回転ズーム枠６８がワイドから標準まで回転角θS だけ回転した場合、カムフォロア６５は、位置６５W1から位置６５S1へ移動し、その移動量は、βS となる。ワイドからテレまで回転角θT だけ回転すると、カムフォロア６５は、位置６５W1から位置６５T1へ移動し、その移動量は、βT となる。
【０１４１】
また、ワイド状態でのフォーカシング時に第三群回転リング６４が∞位置から至近位置まで回転角θ0だけ回転すると、カムフォロア６５は、位置６５W1から位置６５W2へ移動し、その移動量は、β0となる。標準状態で∞位置から至近位置まで回転角θ1だけ回転すると、カムフォロア６５は、位置６５S1から位置６５S2へ移動し、その移動量は、β1となる。テレ状態で∞位置から至近位置まで回転角θ2だけ回転すると、カムフォロア６５は、位置６５T1から位置６５T2へ移動し、その移動量は、β2となる。
【０１４２】
結果的にカムフォロア５５のワイド／∞位置６５W1を基準にしたとき、ワイド状態，標準状態，テレ状態における各至近位置までのカムフォロア６５の移動量は、それぞれβ0，βS ＋β1，βT＋β2で与えられる。なお、これらのカムフォロア６５の移動量に前述したように第三群回転ズーム枠６８のズーミング時の移動量、例えば、−Ｚ3 （ワイドとテレ間）を加算すれば、実際のカムフォロア６５の移動量、従って、第三群レンズ６１の本枠１１に対する移動量が得られる。
【０１４３】
上述したように第一のレンズ鏡筒１０においては、各光学系を組み立て済みの光学ユニット２を本枠１１に固定後、外装ユニット１の外観の一部を成す構成部材を含む部材である距離環１４，中枠１６，目盛環２１，ズーム台２４，ズーム環２６，後カバー３１を順次組み付けていくことで外装ユニット１が組み付けられるので、組み立て性がよく、生産性が向上する。
【０１４４】
光学ユニット２と、後カバー３１以降の組み付け前の外装ユニット１との組み立てが終了した組み立て体の状態で各ユニット内蔵のＦＰＣとレンズ鏡筒制御ＦＰＣ１０２間のコネクタ接続を行い、そこで、フォーカスモータを含む合焦レンズ駆動ユニット１０１を本枠１１の後方より挿入して固定環８３の端面に固着する。また、レンズ鏡筒制御ＦＰＣ１０２を本枠１１の後端部に取り付ける。このように合焦レンズ駆動ユニット１０１およびレンズ鏡筒制御ＦＰＣ１０２とを光学ユニット２と外装ユニット１等から独立した状態でレンズ鏡筒１０内に取り付けることができ、あるいは、取り外しができる。従って、電装品が実装された制御ユニット３が上記組み立て体の組み立て作業中のほとんどの期間で付随してまわることがなく、組み立て作業の煩雑化が避けられる。また、上記組み立て体と制御ユニット３、特に、合焦レンズ駆動ユニット１０１とを簡単に分離することが可能であり、さらに、制御ユニット３とともにカメラボディとの通信接点であるマウント接点部も合わせて上記組み立て体から取り外し可能であることなどから修理、電装品の交換等が簡単に行うことができる。
【０１４５】
この後に後カバー３１，間隔座板３５，シールリング６Ｂ，レンズマウント３６，後カバー３７を組み付ける。
【０１４６】
第一のレンズ鏡筒１０の各外観部材間の当接，摺動面には、上述したようにＯリング５Ａ〜５Ｆおよびシールリング６Ａ，６Ｂ等が弾性圧縮変形して挟持されて配され、レンズ鏡筒の防水性が十分機能する。
【０１４７】
また、第一のレンズ鏡筒１０のズーミングによるレンズ鏡筒内の容積の変化に伴う大気圧との圧力差については、後カバー３４の周方向に配された通気孔群３１ｂと、その通気孔群３１ｂの外面に配された撥水シート３３とを通して空気が出入りすることにより、該圧力差の発生が防止される。また、水滴の侵入は撥水シート３３により防止される。
【０１４８】
カバー後枠３７をレンズマウント３６の内部に装着することにより各接続用ＦＰＣや制御ユニット３のＦＰＣやリード線等が駆動部材である第四群レンズ保持枠８２等の可動部材に接触することが確実に防止される。
【０１４９】
また、カバー後枠３７の取り付け状態で防塵カバーリング３８は、第四群レンズ保持枠８２の外周に嵌合し、同時に第四群レンズ保持枠８２の後方外周に配された防塵部材８２Ｂは、カバー後枠３７の筒部内周に嵌合することからカメラボディ未装着状態でレンズマウント３６の側からの塵埃の侵入が確実に防止される。
【０１５０】
次に、本発明の一実施形態のレンズ鏡筒システムを構成する第二のレンズ鏡筒について、図１９〜２４を用いて説明する。
【０１５１】
図１９は、上記レンズ鏡筒のワイド状態における光軸上の断面図（上半部分を示す）である。図２０は、上記レンズ鏡筒を構成する外装ユニットの一部の分解斜視図であり、図２１は、上記レンズ鏡筒を構成する外装ユニットの他の一部の分解斜視図である。図２２は、上記レンズ鏡筒を構成する光学ユニットの分解斜視図であり、図２３は、上記レンズ鏡筒を構成する制御ユニットを結像側（後方側）からみた斜視図である。図２４は、上記外装ユニットの本枠と上記光学ユニットの固定環との後端部を結像側（後方側）からみた分解斜視図である。
【０１５２】
図１９に示すように第二のレンズ鏡筒１０Ａは、一眼レフカメラボディに着脱可能な固定焦点のレンズ鏡筒であり、主に本レンズ鏡筒の外装を形成する外装ユニット１Ａと、外装ユニット１Ａ内部に収納され、本レンズ鏡筒の光学系を内蔵する光学ユニット２Ａと、レンズ鏡筒１０Ａの駆動制御を行うための制御ユニット３Ａとからなる。第二のレンズ鏡筒１０Ａは、カメラボディに着脱可能な交換レンズ鏡筒であって、この鏡筒の光学系は、被写体側（前方側）から順に第一群レンズ１５１と、第二群レンズ１６１と、第三群レンズ１７１と、絞り羽根１６６とからなり、これらのレンズ群は、フォーカシング時に光軸Ｏ方向に進退駆動される。
【０１５３】
外装ユニット１Ａは、図１９，２１等に示すように前面部に前カバー９２が装着され、第一レンズ鏡筒１０の本枠１１と同径であって、光学ユニット２Ａを内包する第二の固定枠としての本枠９１と、外周にゴムリング１５が装着され、焦点調節時に回動される部材であって、本枠９１に回転可能に嵌合する距離環１４と、本枠９１の外周に固定支持され、目盛環２１を回転可能に支持する表示環保持環である中枠１６と、本枠９１の外周と中枠１６の内周との間に回転自在に保持され、撮影レンズ系の合焦位置に対応する被写界側の被写体焦点位置（距離）を表示するための窓部を有する距離目盛表示環である目盛環２１と、本枠９１一端の背面側外周に固定支持され、距離環１４，中枠１６等の光軸Ｏ方向の移動を防止するために後端部に配置される後端部外装部材としての後カバー（後端カバー）３１と、本枠９１の背面部に固着されるレンズマウント３６と、レンズマウント３６の内周に挿入固着されるカバー後枠９４とを有してなる。
【０１５４】
但し、第二のレンズ鏡筒１０Ａに使用される目盛環２１の外周上に印刷される目盛は、その位置などが第一のレンズ鏡筒１０に使用される目盛のそれとは異ならざるを得ない。それは、カム環等の設計上、起因する目盛環の回転範囲が異なる等があるからである。また、設計上、許されれば、全く同じ目盛を付して使用することができる。
【０１５５】
なお、上記各構成部材のうち、距離環１４及びゴムリング１５と、中枠１６と、後カバー３１と、レンズマウント３６は、それぞれが第二のレンズ鏡筒１０Ａの外観の一部を成す部材であるが、これら部材は、第一のレンズ鏡筒１０と共用する構成部材である。
【０１５６】
光学ユニット２Ａは、図１９，２２に示すように光軸Ｏ方向に進退可能な移動枠ユニット１４０と、移動枠ユニット１４０に固着され、第一群レンズ１５１を有する保持する第一群枠ユニット１５０と、第一群枠ユニット１５０に固定支持され、第二群レンズ１６１，絞り羽根１６６を保持する第二群枠ユニット１６０と、移動枠ユニット１４０に対して相対移動可能であり、第三群レンズ１７１を保持する第三群枠ユニット１７０と、本枠９１に固定支持される光学ユニット側固定枠としての固定環１８１と、固定環１８１に回転可能に支持されるカム環１８２と、固定環１８１の後方部に回転可能に支持されるレンズ駆動枠１８３とを有してなる。
【０１５７】
制御ユニット３Ａは、図２３に示すようにフォーカスモータ，モータＰＩ（フォトインタラプタ），減速ギヤ列等を有する合焦レンズ駆動ユニット１０１と、各制御用ＦＰＣ（フレキシブル基板）コネクタ，制御用ＩＣ，マウント接点等が実装されたフレキシブル基板よりなるレンズ鏡筒制御ＦＰＣ（レンズ鏡筒制御基板）１０２Ａとからなるが、第一のレンズ鏡筒１０に適用される制御ユニット３と略同様の構成を有している。但し、ズームエンコーダＦＰＣ接続用コネクタが設けられていない。
【０１５８】
次に上述した第二のレンズ鏡筒１０Ａの各構成部材のさらなる詳細およびその組み立て手順等について説明する。  
第二のレンズ鏡筒１０Ａにおいては、先に光学ユニット２Ａがユニットとして組み立てられ、後述するように光学ユニット２Ａを外装ユニット１Ａの本枠９１に組み込まれた後、外装ユニット１Ａの各構成部材が本枠９１の外周部に順次、嵌入されて組み立てられる。その後、本枠９１の後方より制御ユニット３Ａが組み込まれ、レンズマウントを装着してレンズ鏡筒１０Ａの組み立てが完了する。ただし、それらの組み立て順は、必ずしも後述する順には限定されない。
【０１５９】
まず、光学ユニット２Ａの各構成部材から説明する。  
移動枠ユニット１４０は、図２２に示すように移動枠１４１と、二本の直進キー１４２と、フィルタ環１４３と、飾り環１４４とを有してなる。
【０１６０】
移動枠１４１は、前面側に内側フランジ部を有する円筒形状の枠部材であって、外装ユニット１Ａの本枠９１の内周に進退可能に挿入される。この移動枠１４１後方内周部には、４つのカムフォロア１４６がピン穴１４１ｅにかしめられるピン１４５によって支持される。
【０１６１】
直進キー１４２は、光軸Ｏ方向に延びる金属製の板部材であり、後端部に径方向に段状に折り曲げて形成される先端ガイド部１４２ａと、前方部に立ち曲げにより形成され、ビス挿通穴１４２ｂを有する取り付け座部１４２ｃとが設けられる。
【０１６２】
フィルタ環１４３は、中央開口部を有するリング部材であって、前方にフィルタネジ（雌ネジ）１４３ａが設けられる。
【０１６３】
飾り環１４４は、中央開口部を有するリング部材であって、外周にフィルタネジ１４３ａと螺合するネジ部が形成されている。
【０１６４】
移動枠１４１には、その内周前面部に後述する第一群枠ユニット１５０の第一群枠１５２が固着される。すなわち、移動枠のビス挿通穴１４１ｄを挿通させた２本のビス８Ｂを第一群枠１５２の前面フランジ部に設けられるビス穴１５２ｄに螺着して移動枠１４１に第一群枠１５２が固定される。
【０１６５】
さらに、２本の直進キー１４２は、移動枠１４１の前端切り欠き１４１ａに取り付け座部１４２ｃを通し、ビス挿通穴１４２ｂに挿通させたビス８Ａを第一群枠１５２のビス穴１５２ｂに螺着して第一群枠１５２に固定される。この取り付け状態で直進キー１４２は、光軸Ｏと平行に保持される。なお、直進キー１４２は、第一群枠１５２を移動枠１４１に固定し、固定環１８１を移動枠１４１内に挿入したときに、移動枠１４１に前端切り欠き１４１ａから挿入して固定してもよい。
【０１６６】
フィルタ環１４３は、直進キー１４２を取り付け後、ビス８Ｃをビス挿通穴１４３ｃおよび１４１ｃを挿通させ、第一群枠１５２のビス穴１５２ｃに螺着して移動枠１４１の前面に取り付けられる。さらに、飾り環１４４は、フィルタ環１４３のフィルタネジ１４３ａに螺着して固定される。
【０１６７】
第一群枠ユニット１５０は、第一群レンズ１５１と、第一群レンズ１５１を保持する第一群枠１５２と、レンズ押え環１５３と、スリーブ１５４と、真直軸部材であるガイドロッド１５５とを有してなる。
【０１６８】
第一群枠１５２は、中央部にレンズ保持用の開口部を有し、前後端面部それぞれに鍔部が設けられる。前方鍔部には、上下位置に配される直進キー逃げ部である凹部１５２ｆと、複数のビス穴とが設けられる。後方鍔部には、凹部１５２ｆの光軸Ｏ方向に位置する凹部１５２ｇと、上方にスリーブ１５４を支持するスリーブ支持穴１５２ｈと、下方にガイドロッド１５５を支持するガイドロッド支持穴１５２ｉと、複数のビス穴とが設けられる。また、開口部前部にレンズ押さえ螺着用のネジ部１５２ａが設けられ、該ネジ部１５２ａにレンズ押さえ環１５３のネジ部１５３ｂを螺着させて第一群レンズ１５１が固定される。
【０１６９】
第二群枠ユニット１６０は、第二群レンズ１６１を保持する第二群枠１６２と、絞枠部材１６３と、絞り前板１６４と、絞り駆動板１６５と、絞り羽根１６６（図１９）と、ステッピングモータである絞り駆動モータ７４と、絞り開放リセット位置検出用絞りＰＩ７９と、絞り駆動モータ７４および絞りＰＩ７９に接続される絞りＦＰＣ７５と、絞りＦＰＣ７５を支持するためのＬ字状のＦＰＣ支持板７６とを有してなる。
【０１７０】
第二群枠１６２は、第一群枠１５２の嵌合内周部１５２ｊに精密嵌合する嵌合外周部１６２ｊを有し、さらに、直進キー挿通用凹部１６２ｆ，スリーブ挿通穴、さらに、ガイドロッド挿通穴が設けられている。
【０１７１】
絞枠部材１６３は、絞り駆動モータ７４と、絞りＰＩ７９とを保持し、絞り駆動板１６５を回転自在に支持する。また、絞枠部材１６３上部には、後方に向けて突出する直進キー挿通する凹部１６３ｆが設けられ、この凹部１６３ｆの下部に沿って、第一のレンズ鏡筒１０に適用される絞りＦＰＣ７５とは大きさの異なる絞りＦＰＣ７５が支持される。
【０１７２】
絞り前板１６４は、絞り開口１６４ａと、第二群枠１６２に挿通するビス挿通穴１６４ｅ，スリーブ挿通穴１６４ｈ，ガイドロッド挿通穴１６４ｉ等を有する。
【０１７３】
絞り駆動板１６５は、円板形状の部材であって、外周にギヤ部が形成されており、絞枠部材１６３に光軸Ｏ回りに回動自在に支持される。この絞り駆動板１６５は、絞り調整時に絞り駆動モータ７４のピニオン（図示せず）により上記ギヤ部を介して回転駆動される。絞り駆動板１６５の回転により絞り羽根１６６が回動駆動され、絞りが設定される。
【０１７４】
第二群枠ユニット１６０の第二群枠１６２，絞枠部材１６３，絞り前板１６４は、一体の状態でビス挿通穴１６４ｅを挿通したビス８Ｄを第一群枠１５２の後側鍔部のビス穴１５２ｅに螺着して、第一群ユニット１５０側に結合される。その結合時には、第二群枠１６２の前方嵌合外周部１６２ｊと第一群枠１５２の後方嵌合内周部１５２ｊとは精密嵌合する。従って、第一群レンズ１５１と第二群レンズ１６１とは、互いの光軸が一致した状態に保持される。
【０１７５】
第三群枠ユニット１７０は、第三群枠１７２と、第三群レンズ１７１と、真直軸部材であるガイドロッド１７３とを有してなる。
【０１７６】
第三群枠１７２は、筒状部材であり、中央開口部に第三群レンズ１７１が固着される。また、外周部上下に突起部を有しており、その上方突起部にガイドロッド支持穴１７２ｈと段付きネジ螺着用ネジ穴１７２ｂとが設けられ、さらに、下方突起部にガイドロッドが嵌入する切り欠き１７２ｉとネジ穴１７２ｂとが設けられる。上下２ヶ所のネジ穴１７２ｂには、それぞれカムフォロア１７５を支持する段付きネジ１７４が螺着される。
【０１７７】
スリーブ１５４とガイドロッド１５５は、第一群枠１５２にガタのある状態で挿入され、また、ガイドロッド１５３は、第三群枠１７２のガイドロッド支持穴１７２ｈにガタのある状態で挿入され、第三群レンズ１７１の光軸と平行となるように光軸位置調節した状態で接着固定される。
【０１７８】
また、ガイドロッド１５５は、第一群枠１５２のガイドロッド支持穴１５２ｉにガタのある状態で挿入された後、第一群レンズ１５１の光軸と平行になるように調節された状態で接着固定される。
【０１７９】
すなわち、第一群枠ユニット１５０と第二群枠ユニット１６０とを結合した状態でスリーブ１５４は第一群枠１５２のスリーブ支持穴１５２ｈにガタのある状態で挿入される。ガイドロッド１７３をスリーブ１５４に嵌入する。また、ガイドロッド１５５を第三群枠１７２の切り欠きに嵌入、保持させる。
【０１８０】
そして、第三群枠１７２が第一群レンズ１５１と第二群レンズ１６１の光軸Ｏに沿って平行に移動するようにガイドロッド１５５，１７３を保持するため、上記保持状態で第一群枠１５２のスリーブ支持穴１５２ｈに接着剤を塗布し、スリーブ１５４を第一群枠１５２に固着する。
【０１８１】
ガイドロッド１５５，１７３で連結保持された第一，二群ユニット１５０，１６０と第三群枠ユニット１７０とは、移動枠ユニット１４０の移動枠１４１内に組み込まれる。すなわち、第一群枠１５２の前方鍔部側を移動枠１４１の後方から挿入し、移動枠１４１のビス挿通穴１４１ｄを挿通させたビス８Ｂを第一群枠１５２の前方鍔部のビス穴１５２ｄに螺着して第一，二群枠ユニット１５０，１６０を移動枠１４１に固定する。第三群枠ユニットは、ガイドロッド１５５，１７３を介して、回転規制状態で光軸Ｏ方向に進退移動可能に支持される。また、直進キー１４２は、第一，二群枠の凹部１５２ｆ，１６３ｆを挿通した状態に保持されている。
【０１８２】
続いて、第一群枠１５２の前方に取り付けられているレンズ押さえ環１５３のＯリング溝１５３ｃにＯリング５Ｇを装着し、該Ｏリング５Ｇを径方向に押さえ込むようにしてフィルタ環１４３をレンズ押さえ環１５３に嵌め込む。そして、フィルタ環１４３のビス挿通穴１４３ｃおよび移動枠１４１のビス挿通穴１４１ｃを挿通させたビス８Ｃを第一群枠１５２の前方鍔部のビス穴１５２ｃに螺着し、フィルタ環１４３を移動枠１４１の前面に固定する。さらに、フィルタ環１４３の前面のフィルタネジ１４３ａに飾り環１４４を螺着して固着する。
【０１８３】
固定環１８１は、筒状部材であって、光軸Ｏ方向に沿った各２本の直進溝１８１ｃ，１８１ｄと、前方段部に４つのカムフォロア１４６の挿入用切り欠き１８１ｅとを有する。また、後端部には、図２４に示すように本枠９１への固定用ビス孔および合焦レンズ駆動ユニット１０１の固定用ビス孔が設けられる。
【０１８４】
固定環１８１は、第一，二，三群枠ユニット１５０，１６０，１７０が組み込まれた移動枠１４１に後方から挿入して組み込まれる。その挿入時、カムフォロア１４６を切り欠き１８１ｅに挿通させ、さらに、直進キー１４２を一旦光軸側に弾性変形させながら先端ガイド部１４２ａを固定環１８１の直進溝１８１ｃに径方向のガタない状態で嵌入させる。
【０１８５】
カム環１８２は、円筒部材であって、固定環１８１の外周部１８１ｂに回転自在に嵌入可能な内周部１８２ａを有しており、外周部に光軸Ｏ方向に斜行する４本のカム溝１８２ｃと、内周部１８２ａに光軸Ｏ方向に斜行する２本のカム溝１８２ｅが設けられる。カム溝１８２ｅの先端部には、カムフォロア挿入用貫通穴１８２ｆが設けられ、後端部の段部には、凹部１８２ｇ，１８２ｈが設けられる。
【０１８６】
レンズ駆動枠１８３は、リング状部材であり、内周部の一部に内歯歯車１８３ａが設けられ、外周部にカム環連動用凸部１８３ｂと、目盛環駆動用の係合凹部１８３ｃとが設けられる。レンズ駆動枠１８３は、カム環１８２の後端部内周に回動自在に嵌め込まれ、凸部１８３ｂをカム環１８２の凹部１８２ｇに係合させて組み込まれる。従って、カム環１８２は、レンズ駆動枠１８３と一体的に回転駆動される。
【０１８７】
カム環１８２とレンズ駆動枠１８３とは、移動枠１４１の内周部に後方から挿入される。その挿入時にカムフォロア１４６をカム環１８２のカム溝挿入口１８２ｄからカム溝１８２ｃに嵌入させながらカム環１８２を固定環１８１の外周部１８１ｂに嵌合させて移動枠１４１内に挿入する。
【０１８８】
上記カム環１８２の挿入途中、カム環１８２のカムフォロア挿入用貫通穴１８２ｆ位置に第三群枠の段ネジ螺着用ネジ穴１７２ｂを合わせて（２ヶ所）、カムフォロア１７５を挿通させた段付きピン１７４を貫通穴１８２ｆおよび固定環１８１の直進溝１８１ｄを挿通させ、ネジ穴１７２ｂに螺着して固定する。なお、直進溝１８１ｄは、カムフォロア１７５に対して隙間をもつ挿通用の溝である。
【０１８９】
上述のようにカム環１８２を移動枠１４１へ挿入すると光学ユニット２Ａの組み込みが終了する。上記組み立て状態の光学ユニット２Ａの固定環１８１の後方には、ＦＰＣ支持板７６に保持された絞りＦＰＣ７５が露呈している。
【０１９０】
次に、第二のレンズ鏡筒１０Ａの外装ユニット１Ａの構成部材の詳細と組み立て手順について説明する。  
なお、外装ユニット１Ａの構成部材のうち、距離環１４及びゴムリング１５と、中枠１６と、後カバー３１と、レンズマウント３６とは、外装部材１に使用した部材と同一形状の共用部材である。従って、それらの共用部材については、同一符号を付して説明し、以下、共用部材以外の部材について、特に詳細に説明する。
【０１９１】
本枠９１は、軸心が光軸Ｏ方向に沿った円筒形状の、光学ユニット２Ａを内包する部材であり、本枠１１に対して外径は、同一径を有し、長さは、短い。そして、円筒前端部にフランジ状の前カバー取付部が形成され、円筒後端面部に固定環，制御ユニット，レンズマウント等を取り付るためのネジ部等が設けられる（図２４）。また、本枠９１の円筒部には、径方向に貫通する連結腕逃げ孔９１ｊと、周方向に沿った僅かな凹部で形成されるＦＰＣ装着凹部９１ｙと、前方の円筒部外周に後方への凸部９１ｅが設けられる。
【０１９２】
本枠９１には、その前端鍔部外周部９１ｃのリング溝９１ｉ，９１ｈにＯリング５Ａを挿入した状態にて、シールリング６Ａを内周部９２ｂに挿入した状態のリング状の前カバー９２を前端鍔部外周部９１ｃに嵌合させる。本枠９１のビス挿通穴９１ａに挿通させたビス７Ａを前カバー９２のビス穴９２ａに螺着して前カバー９２が本枠９１の前面部に固着される。
【０１９３】
本枠９１の円筒外周部のＦＰＣ装着凹部９１ｙには、距離エンコーダＦＰＣ１３が貼付される。この距離エンコーダＦＰＣ１３は、距離エンコーダパターンを有し、光軸Ｏに沿って後方に延出するＦＰＣ延出部１３ｂを有し、その先端にはレンズ鏡筒制御ＦＰＣ１０２Ａとの接続用コネクタ端子１３ｄが設けられる。
【０１９４】
但し、この距離エンコーダＦＰＣ１３は、第一のレンズ鏡筒１０に用いられたものとは異なる。それは、第一のレンズ鏡筒１０と第二のレンズ鏡筒１０Ａとのレンズ特性が異なるし、互いのレンズ鏡筒の大きさも異なるので必然的にＦＰＣ１３の大きさが異なるからである。もちろん、設計上、許されれば、エンコーダのパターンは、同じでもよい。
【０１９５】
本枠９１の内周部には、前述した図１１に示される移動枠ユニット１４０，固定環１８１，カム環１８２，レンズ駆動枠１８３等が組み込まれた光学ユニット２Ａが前方側から挿入され、固定環１８１のビス穴１８１ｎ，１８１ｐ，１８１ｑに本枠９１のビス挿通穴９１ｎ，９１ｐ，９１ｑを挿通させたビス７Ｖを螺着して固定環１８１を本枠９１の後端部にて固定する（図２４）。
【０１９６】
本枠９１に固定環１８１を固定することによって、カム環１８２は、固定環１８１の前方鍔部と本枠９１の後部内周端面９１ｋとに挟まれて光軸Ｏ方向の移動が規制される。同時にレンズ駆動枠１８３も固定環１８１の後方外周１８１ｊに嵌入しており、本枠９１の後部内周端面９１ｋとカム環１８２の後端内周段部で光軸Ｏ方向の移動が規制される。そして、カム環１８２は、固定環１８１の外周１８１ｂに嵌合した状態でレンズ駆動枠１８３とともに回動自在に支持される。
【０１９７】
本枠９１に固定環１８１を固定後、固定環１８１の後方に露呈している絞りＦＰＣ７５を支持するＦＰＣ支持板７６（図２２）が本枠９１の後端部に取り付けられる。すなわち、本枠９１の後端部の凹部９１l に設けられる位置決めピン９１ｓにＦＰＣ支持板７６の位置決め孔７６ｓを挿入して位置決めし、ビス挿通穴７６ｒに挿通させたビス７Ｌを本枠９１のビス穴９１ｒに螺着することによってＦＰＣ支持板７６が本枠９１の後端部に固定される（図２２，２４）。
【０１９８】
続いて、本枠９１の外周には、前述した第一のレンズ鏡筒１０との共用部材である距離環１４，中枠１６，目盛環２１，後カバー３１の順で後方から挿入され、組み付けられる。但し、目盛環２１に固着される連結腕９３は、第一のレンズ鏡筒１０用の目盛環２１に固着される連結腕２３より長さが短い。
【０１９９】
連結腕９３は、光軸Ｏと平行に後方に向けて延出する真直な金属板部材であって、その先端部には内周側に折り曲げて形成された係合部９３ｃが設けられる。
【０２００】
距離環１４と中枠１６と目盛環２１とを本枠９１に組み付ける場合も第一のレンズ鏡筒１０と同様にして距離環１４と中枠１６とを本枠９１の後方側から外周前方部に挿入する。さらに、目盛環２１を中枠１６の内周に後方から挿入する。そのとき、連結腕９３の係合部９３ｃを本枠９１の連結腕逃げ孔９１ｊに挿通させ、予め本枠９１内に組み込まれているレンズ駆動枠１８３の係合凹部１８３ｃに係合させる（図２２）。
【０２０１】
距離環１４と中枠１６と目盛環２１とが本枠９１に組み付けられた状態では、中枠１６は、その前端面が本枠９１の外周面９１ｆに設けられた円周方向のリブ状突部９１ｄの光軸Ｏ方向側面に当接し、かつ、回転止め用凹部１６ｅが本枠９１の凸部９１ｅに係合して支持されるので、本枠９１に対して回転が規制される。かつ、中枠１６は、距離環１４が本枠９１上で回転可能なように光軸Ｏ方向で位置決めされる。距離環１４は、Ｏリング５Ａを介した状態で本枠９１の鍔部外周９１ｃおよび突部（外周）９１ｄに径方向に嵌合して支持され、さらに、本枠９１の外周９１ｆに設けられた円周方向のリブ状突部９１ｋ1の光軸Ｏ方向における側面と摺接して、前方への移動が規制された状態にてスリット円板１４Ａとともに手動回動操作可能に支持される。目盛環２１は、中枠１６の内周部に嵌合し、前方への移動が規制された状態でレンズ駆動枠１８３により回転駆動可能に支持される。
【０２０２】
中枠１６の後端の嵌合当接部１６ｐが後述する後カバー３１の前端の嵌合当接部３１ｐと径方向で嵌合し、かつ、軸方向に当接することによって、中枠１６および距離環１４の後方への移動および径方向が規制される。目盛環２１も後カバー３１のの嵌合当接部３１ｐにより後方への移動が規制される。なお、後カバー３１の嵌合当接部３１ｐの円周溝にはＯリング５Ｅが挿入され、中枠１６の嵌合当接部１６ｐの後端面で押圧されて保持される。
【０２０３】
距離環１４を回転操作した場合には距離環１４と一体的に回動するスリット円板１４Ａが中枠１６に固定されている距離ＰＩ１９の間を相対移動するので、距離環操作による距離ＰＩ１９の出力が、第一のレンズ鏡筒１０で用いられる距離ＰＩ用ＦＰＣとは大きさが異なる第二のレンズ鏡筒１０Ａのための距離ＰＩ用ＦＰＣ１８側に伝達される。さらに、目盛環２１に装着された距離接片２２は、本枠９１の外周上の距離エンコーダＦＰＣ１３のエンコーダパターン上を摺接することから目盛環２１の回転位置出力が距離エンコーダＦＰＣ１３側に伝達される。なお、上記組み付け状態で距離エンコーダＦＰＣ１３のコネクタ端子１３ｄ側、および、距離ＰＩ用ＦＰＣ１８のコネクタ端子１８ａ側は、ともに本枠９１の後方まで延出している。
【０２０４】
距離環１４，中枠１６，目盛環２１が組み付けられた本枠９１の外周に後カバー３１が組み付けられるが、その後カバー３１の組み付けに先立って、制御ユニット３Ａが本枠９１の後端部に組み込まれる。
【０２０５】
ここで、合焦レンズ駆動ユニット１０１とレンズ鏡筒制御ＦＰＣ１０２Ａとからなる制御ユニット３Ａの詳細な構成について、図２３の制御ユニット３Ａの斜視図を用いて説明する。  
第二のレンズ鏡筒１０Ａに適用される合焦レンズ駆動ユニット１０１は、第一のレンズ鏡筒１０に適用したもの（図８）と同様な構成を有している。
【０２０６】
レンズ鏡筒制御ＦＰＣ１０２Ａは、第一のレンズ鏡筒１０に適用されるレンズ鏡筒制御ＦＰＣ１０２（図８）に対してズームエンコーダのためのＦＰＣ接続用コネクタ１０８等が実装されていないが、その他の構成は同様である。すなわち、レンズ鏡筒制御ＦＰＣ１０２Ａは、ＦＰＣ支持板１０３上に支持されており、距離エンコーダＦＰＣ用コネクタ１０７，絞りＦＰＣ用コネクタ１０９，距離ＰＩ用コネクタ１１０，マウント接点部材１１１等が実装されている。
【０２０７】
固定環１８１と本枠９１とを結合した後、後カバー３１を取り付ける前であって、さらに、上記各ＦＰＣのコネクタ接続の前に、合焦レンズ駆動ユニット１０１のフォーカスモータ１２１を本枠９１の後方から固定環１８１の内部に挿入して、減速ギヤ列の出力ギヤ１２３をレンズ駆動枠１８３の内歯歯車部１８３ａに噛合させながら、減速ギヤボックス１２２を本枠９１の後面のギヤボックス位置決め用凹部９１ｏにこの凹部平面に設けられた一対のピン９１ｔで位置決めする。そして、２本のビス７Ｔを減速ギヤボックス１２２のビス挿通穴１２２ｓ，１２２ｒを挿通させ、固定環１８１のビス穴１８１ｓ，１８１ｒに螺着して減速ギヤボックス１２２およびフォーカスモータ１２１を固定環１８１に後端部に固定する（図２３，２４）。
【０２０８】
さらに、レンズ鏡筒制御ＦＰＣ１０２Ａが一体化されたＦＰＣ支持板１０３を本枠９１の後方から枠内に挿入し、ＦＰＣ支持板１０３の取付部１０３ｂを本枠９１の後端部の支持板取付凹部９１ｚに装着する。ビス７Ｕを取付部１０３ｂのビス挿通穴１０３ｃ，１０３ｄを挿通させ、本枠９１のビス穴９１ｕに螺着して取付部１０３ｂを本枠９１に固定する（図２３，２４）。この取付部１０３ｂの固定によって、レンズ鏡筒制御ＦＰＣ１０２Ａは、本枠９１の後端部に収納、固定される。すなわち、固定枠である固定環１８１，本枠９１の内周に保持される。
【０２０９】
後カバー３１を取り付ける前の状態でレンズ鏡筒制御ＦＰＣ１０２Ａに実装されている各コネクタ端子にＦＰＣコネクタ端子を接続する。すなわち、距離エンコーダＦＰＣ用コネクタ１０７には、距離エンコーダＦＰＣ１３のコネクタ端子１３ｄを接続する。絞りＦＰＣ用コネクタ１０９には絞りＦＰＣ７５のコネクタ端子７５ａを接続する。距離ＰＩ用コネクタ１１０には距離ＰＩ用ＦＰＣ１８のコネクタ端子１８ａを接続する。
【０２１０】
そこで、Ｏリング５Ｅを嵌合当接部３１ｐのリング溝に装着した状態の後カバー３１を中枠１６の後方の本枠９１の後端部に挿入して、中枠１６の後方の嵌合当接部１６ｐに後カバー３１の嵌合当接部３１ｐを嵌合させ、Ｏリング５Ｅを圧縮しながら嵌合当接部１６ｐと嵌合当接部３１ｐとを当接させる。そのとき、目盛環２１の後端面にも嵌合当接部３１ｐが当接する。後カバー３１のビス挿通穴３１ｖ，３１ｗに挿通させたビス７Ｅを本枠９１のネジ孔９１ｖ，９１ｗに螺着して後カバー３１を本枠９１に固定する（図２４）。
【０２１１】
上述したように後カバー３１を本枠９１に固定することで距離環１４と中枠１６と、また、中枠１６の内部にて目盛環２１とが本枠９１と後カバー３１によって光軸Ｏ方向に挟まれた状態で保持され、光軸Ｏ方向の位置が規制される。但し、距離環１４と目盛環２１とは、回動可能状態であり、中枠１６のみは、回転方向にも位置規制された状態である。
【０２１２】
その後、レンズ鏡筒制御ＦＰＣ１０２Ａに実装されているマウント接点部材１１１を後述するレンズマウント３６に装着して、レンズマウント３６を本枠９１の後端面に取り付ける。
【０２１３】
レンズマウント３６も第一のレンズ鏡筒１０に適用されたものと共通の部材である（図２１）。レンズマウント３６に固定されるカバー後枠９４は、第三群枠１７２の外周に嵌合可能な筒部９４ａと、第三群枠逃げ用凹部９４ｃと、マウント接点部材逃げ用切り欠き部９４ｂと、フランジ部に設けられるビス挿通穴９４ｅとが設けられる。
【０２１４】
レンズマウント３６を本枠９１の後端面に取り付ける場合、第一のレンズ鏡筒１０の場合と同様にマウント接点部材１１１をレンズマウント３６の接点装着用凹部３６ｂに嵌め込み、レンズマウント３６のビス挿通穴３６ｆを挿通させたビス７Ｇをマウント接点部材１１１のビス穴１１１ｂ（図２３）に螺着してマウント接点部材１１１をレンズマウント３６に固着する。そして、レンズマウント３６のビス挿通穴３６ｄにビス７Ｆを挿通させ、本枠９１の後端面のビス穴９１ｘに螺着して、レンズマウント３６を本枠９１および後カバー３１の後端面に固定する。
【０２１５】
レンズマウント３６の取り付けの際も第一のレンズ鏡筒１０の場合と同様に本枠内に組み込まれた光学ユニット２Ａの光学系のフランジバック量を所定の距離に調整するため、適切な厚みを有する単数、または、複数枚の間隔座板（スペーサ）３５を選択し、本枠９１および後カバー３１の後端面に載せ、間隔座板３５を挟んだ状態でレンズマウント３６を固定する。
【０２１６】
さらに、レンズマウント３６の取り付けの際には、レンズマウント３６の外周と後カバー３１の後端面段部にパッキン材であるシールリング６Ｂを挿入した状態でレンズマウント３６を本枠９１に装着する。
【０２１７】
その後、レンズマウント３６の開口部３６ａにカバー後枠９４の筒部を挿入して、ビス７Ｈをビス挿通穴９４ｅに挿通させてレンズマウント３６のビス穴３６ｅに螺着してカバー後枠９４をレンズマウント３６に取り付ける。
【０２１８】
上述したレンズマウント３６，カバー後枠９４の装着により外装ユニット１Ａ，光学ユニット２Ａ，制御ユニット３Ａ等からなる第一のレンズ鏡筒１０Ａの組み立て作業は、終了する。
【０２１９】
次に、上述した第二のレンズ鏡筒１０Ａの光学ユニット２Ａを構成する各枠部材の支持状態および進退動作について説明する。  
本枠９１に対して固定環１８１は、後端部で結合され一体化している。そして、各レンズ枠ユニットを保持する移動枠ユニット１４０は、固定環１８１により直進ガイドされる第一群枠１５２の直進キー１４２により回転規制された状態で光軸Ｏ方向に進退移動が可能である。カム環１８２がレンズ駆動枠１８３を介して回転駆動されると、移動枠ユニット１４０はカム環１８２のカム溝１８２ｃによって進退移動する。
【０２２０】
第一群レンズ１５１，第二群レンズ１６１，絞り羽根１６６を支持する第一，二群ユニット１５０，１６０は、移動枠１４１に固定支持され、移動枠ユニット１４０と共に光軸Ｏ方向に進退移動する。
【０２２１】
第三群レンズ１７１を保持する第三群枠ユニット１７０は、ガイドロッド１５５，１７３により光軸Ｏ方向に沿って進退移動可能に支持されている。カム環１８２がレンズ駆動枠１８３を介して回転駆動されると、第三群枠ユニット１７０はカム環１８２のカム溝１８２ｅによって光軸Ｏ方向に進退移動する。
【０２２２】
距離環１４をゴムリング１５を介して回転操作した場合、一対の距離ＰＩ１９によりその回転量および回転方向が検出される。その回転量出力は、距離ＰＩ用ＦＰＣ１８を介してレンズ鏡筒制御ＦＰＣ１０２Ａ側に伝達され、上記回転量出力に対応した距離に合焦するべくフォーカスモータ１２１が回転駆動される。一方、このレンズ鏡筒が装着されたカメラボディ側からフォーカシング距離データがレンズマウント接点部１１１ａを介してレンズ鏡筒制御ＦＰＣ１０２Ａに取り込まれた場合は、該フォーカシング距離データに基づいてフォーカスモータ１２１が必要な方向に所定量回転駆動される。フォーカスモータ１２１の回転量は、モータＰＩ１１２によって検出され、レンズ鏡筒制御ＦＰＣ１０２Ａ側に伝達される。
【０２２３】
フォーカスモータ１２１が回転駆動されるとレンズ駆動枠１８３が回転駆動され、カム環１８２が所定量回動する。カム環１８２の回動にともなって移動枠１４１に支持される第一，二群ユニット１５０，１６０と第三群枠ユニット１７０がそれぞれの光軸Ｏ方向の各フォーカシング位置に移動する。また、レンズ駆動枠１８３の回転にともなって、連結腕９３を介して目盛環２１が被写体合焦位置を示す位置まで回動する。同時に目盛環２１の回転位置信号が距離エンコーダＦＰＣ１３を介してレンズ鏡筒制御ＦＰＣ１０２Ａ側に伝達され、さらに、レンズマウント接点部１１１ａを介してカメラボディ側に伝達される。
【０２２４】
第二のレンズ鏡筒１０Ａにおいて、絞り駆動が行われる場合は、レンズマウント接点部１１１ａを介して絞り信号がレンズ鏡筒制御ＦＰＣ１０２Ａ側に取り込まれ、絞り駆動モータ駆動信号に変換される。上記絞り駆動モータ駆動信号は、絞りＦＰＣ７５を介して絞り駆動モータ７４に伝達され、絞り駆動板１６５を介して絞り羽根１６６が回転駆動される（図１９）。絞り駆動板１６５の全開放位置（リセット位置）信号は、絞りＰＩ７９により検出され、絞りＦＰＣ７５を介してレンズ鏡筒制御ＦＰＣ１０２Ａ側に取り込まれる。
【０２２５】
上述したように本実施形態のレンズ鏡筒システムにおいては、種類（仕様）の異なる第一のレンズ鏡筒１０と第二のレンズ鏡筒１０Ａの間で距離環１４と、中枠１６と、目盛環２１と、後カバー３１と、さらには、それらの部材に装着されるスリット板，接点部材，ＦＰＣエンコーダパターン，ＰＩ，Ｏリング，パッキング等を共用化することかできる。この共用化によってレンズ鏡筒システムにおける部品の種類を減らすことができ、レンズ鏡筒のコストダウン、あるいは、部品管理の簡素化に多大な効果を奏することができる。
【０２２６】
上述した第一のレンズ鏡筒１０と第二のレンズ鏡筒１０Ａとは、焦点距離調節可能なものと固定焦点のものであったが、上述した各構成部材の共用化は、焦点距離調節可能なもの同士間、あるいは、固定焦点のもの同士間であって種類が異なるレンズ鏡筒間にも適用できる。さらに、上記共用化される構成部材は、距離環１４と、中枠１６と、少なくとも目盛などの表示を除いた目盛環２１と、後カバー３１の一種類でもよく、複数種類であってもよい。
【産業上の利用可能性】
【０２２７】
本発明によるレンズ鏡筒システムは、種類（仕様）の異なるレンズ鏡筒において構成部材の共通化を図ることが可能な複数のレンズ鏡筒よりなるレンズ鏡筒システムとして適用可能である。
【図面の簡単な説明】
【０２２８】
【図１】本発明の一実施形態のレンズ鏡筒システムを構成する第一のレンズ鏡筒の側面図である。
【図２】図１の第一のレンズ鏡筒のワイド状態における光軸上の断面図である。
【図３】図１の第一のレンズ鏡筒のテレ状態における光軸上の断面図（上半部分）である。
【図４】図１の第一のレンズ鏡筒を構成する外装ユニットの一部の分解斜視図である。
【図５】図１の第一のレンズ鏡筒を構成する外装ユニットの他の一部の分解斜視図である。
【図６】図１の第一のレンズ鏡筒を構成する光学ユニットの一部の分解斜視図である。
【図７】図１の第一のレンズ鏡筒を構成する光学ユニットの他の一部の分解斜視図である。
【図８】図１の第一のレンズ鏡筒を構成する制御ユニットを結像側（後方側）からみた斜視図である。
【図９】図８の制御ユニットを構成するレンズ鏡筒制御ＦＰＣの展開図である。
【図１０】図８の制御ユニットを構成するＦＰＣ支持板の斜視図である。
【図１１】図６，７の光学ユニットの組み立て状態の斜視図である。
【図１２】図１の第一のレンズ鏡筒において、互いに固定されるべき本枠と固定環とを結像側（後方側）からみた分解斜視図である。
【図１３】図４，５の外装ユニットと図１１の光学ユニットとからなる組み立て体の後部を結像側（後方側）からみた斜視図である。
【図１４】図１３に示した光学ユニットと外装ユニットとの組み立て体の後部に制御ユニットを装着した状態を結像側（後方側）から見た斜視図である。
【図１５】図１の第一のレンズ鏡筒のワイド状態におけるカム環，固定環，回転ズーム枠およびカムフォロアを外周側から見た展開図である。
【図１６】図１の第一のレンズ鏡筒のテレ状態におけるカム環，固定環，回転ズーム枠およびカムフォロアを外周側から見た展開図である。
【図１７】図１の第一のレンズ鏡筒のズーミングおよびフォーカシング時における第二，第三群回転ズーム枠を外周側から見たカムフォロアの移動状態を示す展開図である。
【図１８】図１の第一のレンズ鏡筒における各レンズ群，絞枠のズーミングおよびフォーカシング時の移動軌跡を示す図である。
【図１９】本発明の一実施形態のレンズ鏡筒システムを構成する第二のレンズ鏡筒のワイド状態における光軸上の断面図（上半部分）である。
【図２０】図１９の第二のレンズ鏡筒を構成する外装ユニットの一部の分解斜視図である。
【図２１】図１９の第二のレンズ鏡筒を構成する外装ユニットの他の一部の分解斜視図である。
【図２２】図１９の第二のレンズ鏡筒を構成する光学ユニットの分解斜視図である。
【図２３】図１９の第二のレンズ鏡筒を構成する制御ユニットを結像側（後方側）からみた斜視図である。
【図２４】図１９の第二のレンズ鏡筒において、互いに固定されるべき本枠と固定環とを結像側（後方側）からみた分解斜視図である。
【符号の説明】
【０２２９】
１０  …第一のレンズ鏡筒
１０Ａ…第二のレンズ鏡筒
２  …光学ユニット
２Ａ…光学ユニット
１１  …本枠（第一の固定枠）
９１  …本枠（第二の固定枠）
１４…距離環
１６…中枠（表示環支持環）
２１…目盛環（距離目盛表示環）
３１…後カバー（後端部外装部材）
代理人      弁理士    伊  藤    進
【図１】
2005107418.tif 000003
【図２】
2005107418.tif 000004
【図３】
2005107418.tif 000005
【図４】
2005107418.tif 000006
【図５】
2005107418.tif 000007
【図６】
2005107418.tif 000008
【図７】
2005107418.tif 000009
【図８】
2005107418.tif 000010
【図９】
2005107418.tif 000011
【図１０】
2005107418.tif 000012
【図１１】
2005107418.tif 000013
【図１２】
2005107418.tif 000014
【図１３】
2005107418.tif 000015
【図１４】
2005107418.tif 000016
【図１５】
2005107418.tif 000017
【図１６】
2005107418.tif 000018
【図１７】
2005107418.tif 000019
【図１８】
2005107418.tif 000020
【図１９】
2005107418.tif 000021
【図２０】
2005107418.tif 000022
【図２１】
2005107418.tif 000023
【図２２】
2005107418.tif 000024
【図２３】
2005107418.tif 000025
【図２４】
2005107418.tif 000026